(57)【要約】【課題】  番組映像の視聴を妨げることなく、関連番組の番組内容を提示するための映像を表示装置に表示させるために、表示装置に出力する映像を作成する。【解決手段】  番組出力装置１は、視聴中の番組映像に関する番組情報である視聴中番組情報を取得する視聴中番組情報取得部１４と、複数の番組の番組情報を含んだ番組情報データベース３１を作成する番組情報取得部１３と、視聴中番組情報に基づいて、番組情報データベース３１の中から、視聴中の番組に関連する関連番組の番組情報である関連番組情報を抽出する関連番組情報抽出部１５と、視聴中の番組映像と、関連番組情報に対応する関連番組の関連番組提示映像とを合成した合成映像を作成する合成部１８とを備えている。ここで、合成部１８は、合成映像において、第１及び第２の部分表示領域を設定し、第１の部分表示領域に視聴中の番組映像を縮小して挿入し、第２の部分表示領域に関連番組提示映像を挿入する。【選択図】  図１
2006352378.tif 000002
【特許請求の範囲】
【請求項１】
番組映像の視聴中に視聴中の番組に関連する他の番組の番組内容をユーザに提示するための関連番組提示映像を表示装置に表示させるために、表示装置に出力する映像を作成する番組映像作成装置において、
上記視聴中の番組映像に関する番組情報である視聴中番組情報を取得する視聴中番組情報取得部と、
複数の番組の番組情報を含んだ番組情報群を取得する番組情報取得部と、
上記視聴中番組情報に基づいて、上記番組情報群の中から、視聴中の番組に関連する関連番組の番組情報である関連番組情報を抽出する関連番組情報抽出手段と、
上記視聴中の番組映像と、上記関連番組情報に対応する関連番組の関連番組提示映像とを合成した合成映像を作成する合成手段とを備え、
上記合成手段が、上記合成映像において、第１及び第２の部分表示領域を設定し、第１の部分表示領域に上記視聴中の番組映像を縮小して挿入し、第２の部分表示領域に上記関連番組提示映像を挿入することを特徴とする、番組映像作成装置。
【請求項２】
上記視聴中の番組映像が、放送中の番組を受信することによって取得した受信中番組映像であり、
上記関連番組情報抽出手段によって抽出された関連番組情報に基づいて、当該関連番組情報に対応する関連番組を、当該関連番組が放送中か否かに応じて放送中グループ又はそれ以外のグループに分類する関連番組分類手段をさらに備え、
上記合成手段が、上記合成映像において、第１の部分表示領域に隣接した部分表示領域である第１の隣接部分表示領域をさらに設定し、第１の隣接部分表示領域に、放送中グループに分類された関連番組の関連番組提示映像を挿入し、第２の部分表示領域に、それ以外のグループに分類された関連番組の関連番組提示映像を挿入することを特徴とする、請求項１に記載の番組映像作成装置。
【請求項３】
上記合成画像における第１の隣接部分表示領域を選択可能な部分表示領域選択手段と、
上記受信中番組映像と上記合成手段によって作成された合成映像とを切り換えて出力する映像切換手段と、
現在放送中の他の番組映像を受信するために受信チャンネルを切り換えるチャンネル切換手段とをさらに備え、
上記チャンネル切換手段が、上記部分表示領域選択手段によって第１の隣接部分表示領域が選択された際に、受信チャンネルを、第１の隣接部分表示領域に表示された関連番組提示映像に対応する関連番組が放送されているチャンネルに切り換え、
上記映像切換手段が、上記部分表示領域選択手段によって第１の隣接部分表示領域が選択された際に、受信中番組映像を出力することを特徴とする、請求項２に記載の番組映像作成装置。
【請求項４】
上記視聴中の番組映像が、過去に放送された番組映像を録画した録画済番組映像であり、
上記関連番組情報抽出手段によって抽出された関連番組情報に対応する各関連番組を、当該関連番組が放送済みであるか否かに応じて放送済グループ又はそれ以外のグループに分類する関連番組分類手段をさらに備え、
上記合成手段が、上記合成映像において、第１の部分表示領域に隣接した第１の隣接部分表示領域をさらに設定し、第１の隣接部分表示領域に、放送済グループに分類された関連番組の関連番組提示映像を挿入し、第２の部分表示領域に、それ以外のグループに分類された関連番組の関連番組提示映像を挿入することを特徴とする、請求項１に記載の番組映像作成装置。
【請求項５】
過去に放送された番組映像を録画した録画済番組映像を取得する録画済番組映像取得部と、
上記合成画像において第１の隣接部分表示領域を選択可能な部分表示領域選択手段と、
上記録画済番組映像と上記合成手段によって作成された合成映像とを切り換えて出力する映像切換手段と、
上記録画済番組映像取得部によって視聴中の録画済番組映像とは異なる録画済番組映像を取得することによって、視聴する録画済番組映像を切り換える再生番組切換手段と、をさらに備え、
上記再生番組切換手段が、上記部分表示領域選択手段によって第１の隣接部分表示領域が選択された際に、現在視聴中の録画済番組映像から第１の隣接部分表示領域に表示された関連番組提示映像に対応する関連番組の録画済番組映像に、視聴する番組映像を切り換え、
上記映像切換手段が、上記部分表示領域選択手段によって第１の隣接部分表示領域が選択された際に、録画済番組映像を出力することを特徴とする、請求項４に記載の番組映像作成装置。
【請求項６】
放送される番組映像を録画する録画装置に対して、番組の録画予約を指示可能な録画予約指示手段と、
上記合成映像において第２の部分表示領域を選択可能な部分表示領域選択手段と、をさらに備え、
上記関連番組分類手段が、上記関連番組情報抽出手段によって抽出された関連番組情報に対応する関連番組を、これから放送される予定であるか否かに応じて、放送予定グループ又はそれ以外のグループに分類し、
上記合成手段が、第２の部分表示領域に、放送予定グループに分類された関連番組の関連番組提示映像を挿入し、
上記録画予約指示手段は、上記部分表示領域選択手段によって第２の部分表示領域が選択された際に、第２の部分表示領域に表示された関連番組提示映像に対応する関連番組の録画予約を指示することを特徴とする、請求項１に記載の番組映像作成装置。
【請求項７】
上記関連番組抽出手段は、上記視聴中番組情報と上記番組情報群に含まれる各番組情報との比較に基づいて、当該番組情報に対して視聴中番組との番組内容の関連度を設定する関連度設定手段を含むとともに、当該関連度に基づいて関連番組情報を抽出し、
上記合成手段は、合成映像において、第２の部分表示領域の上下方向又は左右方向に複数の部分領域が直列に配列された第２の部分表示領域群を設定し、この第２の部分表示領域群の各部分表示領域に、それ以外のグループに分類された関連番組の関連番組提示映像を、その関連度に基づいた配置で挿入することを特徴とする、請求項２から５の何れか１項に記載の番組映像作成装置。
【請求項８】
上記合成手段は、第２の部分表示領域群の各部分表示領域に、関連番組提示映像を、その関連度が小さくなるのにつれて視聴中の番組映像が挿入される部分表示領域から離れるように挿入することを特徴とする請求項７に記載の番組映像作成装置。
【請求項９】
上記視聴中番組情報及び上記番組情報取得部によって取得される番組情報は、番組のジャンルに関する情報を含み、
上記関連度設定手段は、視聴中番組情報取得部によって取得された番組のジャンルと、上記番組情報取得部によって取得された番組のジャンルとの比較に基づいて、関連度を設定することを特徴とする、請求項７又は８に記載の番組映像作成装置。
【請求項１０】
上記視聴中番組情報及び上記番組情報取得部によって取得される番組情報は、番組のサブジャンルに関する文字列の情報をさらに含み、
上記関連度設定手段は、視聴中番組情報取得部によって取得された番組のジャンル及びサブジャンルの文字列と、上記番組情報取得部によって取得された番組のジャンル及びサブジャンルの文字列との比較に基づいて、関連度を設定することを特徴とする、請求項９に記載の番組映像作成装置。
【請求項１１】
上記関連度設定手段は、番組のジャンルとサブジャンルの文字列とが、上記視聴中番組情報と上記番組情報取得部によって取得された番組情報との間で、次の条件（ａ）〜（ｃ）
（ａ）何れも一致する
（ｂ）ジャンルは一致し、サブジャンルは文字列の一部のみ一致する
（ｃ）ジャンルのみ一致しサブジャンルの文字列は全く一致しない、又は、サブジャンルの文字列の一部若しくは全部が一致しジャンルは一致しない
を満たす順に、関連度を高く設定することを特徴とする、請求項１０に記載の番組映像作成装置。
【請求項１２】
上記視聴中番組情報及び上記番組情報取得部によって取得される番組情報は、番組のタイトルに関する文字列の情報をさらに含み、
上記関連度設定手段は、上記の条件（ａ）〜（ｃ）の何れか１つの条件を満たす番組情報が複数ある場合、これらの番組情報に対して、当該番組情報のタイトルの文字列の一部又は全部が上記視聴中番組情報と一致するか否かに応じて、関連度に差をつけることを特徴とする、請求項１１に記載の番組映像作成装置。
【請求項１３】
上記視聴中番組情報及び上記番組情報取得部によって取得される番組情報は、番組の詳細内容を説明した文字列の情報をさらに含み、
上記関連度設定手段は、上記の条件（ａ）〜（ｃ）の何れか１つの条件を満たす番組情報が複数ある場合、これらの番組情報に対して、当該番組情報の詳細内容の文字列の一部又は全部が上記視聴中番組情報と一致するか否かに応じて、関連度に差をつけることを特徴とする、請求項１１に記載の番組映像作成装置。
【請求項１４】
上記視聴中番組情報及び上記番組情報取得部によって取得される番組情報は、番組の出演者に関する情報をさらに含み、
上記関連度設定手段は、上記の条件（ａ）〜（ｃ）の何れか１つの条件を満たす番組情報が複数ある場合、これらの番組情報に対して、当該番組情報の出演者の一部又は全部が上記視聴中番組情報と一致するか否かに応じて、関連度に差をつけることを特徴とする、請求項１１に記載の番組映像作成装置。
【請求項１５】
上記視聴中の番組映像が、放送中の番組映像を受信することによって取得した受信中番組映像であり、
上記関連番組情報抽出手段によって抽出された関連番組情報に対応する各関連番組を、当該番組が放送中であるか、既に放送済みであるか、これから放送予定であるかに応じて、それぞれ放送中グループ、放送済みグループ、放送予定グループに分類する関連番組分類手段をさらに備え、
上記合成手段は、上記合成映像において、第１、第２、及び第３の部分表示領域を設定し、第１の部分表示領域に上記視聴中番組映像を縮小して挿入し、第２の部分表示領域に、上記放送済みグループに分類された関連番組の関連番組提示映像を挿入し、第３の部分表示領域に、上記放送予定グループに分類された関連番組の関連番組提示映像を挿入することを特徴とする、請求項１に記載の番組映像作成装置。
【請求項１６】
上記視聴中の番組映像が、過去に放送された番組映像を録画した録画済番組映像であり、
上記関連番組情報抽出手段によって抽出された関連番組情報に対応する各関連番組を、当該番組が放送中であるか、既に放送済みであるか、これから放送予定であるかに応じて、それぞれ放送中グループ、放送済みグループ、放送予定グループに分類する関連番組分類手段をさらに備え、
上記合成手段は、上記合成映像において、第１、第２、及び第３の部分表示領域を設定し、第１の部分表示領域に上記視聴中番組映像を縮小して挿入し、第２の部分表示領域に、上記放送中グループに分類された関連番組の関連番組提示映像を挿入し、第３の部分表示領域に、上記放送予定グループに分類された関連番組の関連番組提示映像を挿入することを特徴とする、請求項１に記載の番組映像作成装置。
【請求項１７】
放送されている番組映像の視聴中に、視聴中の番組に関連する他の番組の番組内容をユーザに提示するための関連番組提示映像を表示装置に表示させるために、表示装置に出力する映像を作成する番組映像作成装置において、
上記視聴中の番組映像に関する番組情報である視聴中番組情報を取得する視聴中番組情報取得部と、
複数の番組の番組情報を含んだ番組情報群を取得する番組情報取得部と、
上記視聴中番組情報に基づいて、上記番組情報群の中から、視聴中の番組に関連する関連番組の番組情報である関連番組情報を抽出する関連番組情報抽出手段と、
上記関連番組情報に対応する各関連番組を、当該関連番組が放送中であるか、既に放送済みであるか、これから放送される予定であるかに応じて、それぞれ放送中グループ、放送済みグループ、放送予定グループに分類する関連番組分類手段と、
上記視聴中の番組映像と、上記関連番組提示映像とを合成した合成映像を作成する合成手段とを備え、
上記合成手段が、上記合成映像の一部又は全部を、３行又は３列のマトリックス状に配置された部分表示領域に分割し、
（ａ）上記マトリックスが３行の場合には、それぞれの行を、あるいは
（ｂ）上記マトリックスが３列の場合には、それぞれの列を、
第１の部分表示領域群、第２の部分表示領域群、第３の部分表示領域群に設定し、第１の部分表示領域群の一つの部分表示領域に、縮小した視聴中の番組映像を挿入し、第１の部分表示領域群の他の部分表示領域に、上記放送中グループに分類された関連番組の関連番組提示映像を挿入し、第２の部分表示領域群の各部分表示領域に、上記放送済みグループに分類された関連番組の関連番組提示映像を挿入し、第３の部分表示領域群の各部分表示領域に、上記放送予定グループに分類された関連番組の関連番組提示映像を挿入することを特徴とする、番組映像作成装置。
【請求項１８】
上記関連番組情報抽出手段によって抽出された関連番組情報に基づいて、当該関連番組情報の一部又は全部が表示された関連番組情報映像を作成する関連番組情報映像作成手段をさらに備え、
上記関連番組提示映像の少なくとも１つが、上記関連番組情報映像作成手段によって作成された関連番組情報映像であることを特徴とする、請求項１から１７の何れか１項に記載の番組映像作成装置。
【請求項１９】
上記関連番組情報抽出手段によって抽出された関連番組情報に基づいて、当該関連番組情報に対応する現在放送中の関連番組の番組映像を取得する放送中関連番組映像取得部をさらに備え、
上記関連番組提示映像の何れかが、上記放送中番組映像取得部によって取得された現在放送中の番組映像であることを特徴とする、請求項１から１７の何れか１項に記載の番組映像作成装置。
【請求項２０】
過去に放送された番組映像を録画した録画済番組映像を貯蔵している録画済番組映像記憶部から、上記関連番組情報抽出手段によって抽出された関連番組情報に基づいて、当該関連番組情報に対応する関連番組の録画済番組映像を取得する録画済番組映像取得部をさらに備え、
上記関連番組提示映像の何れかが、上記録画済番組映像取得部によって取得された録画済番組映像であることを特徴とする、請求項１から５の何れか１項に記載の番組映像作成装置。
【請求項２１】
請求項１から２０の何れか１項に記載の番組映像作成装置と、当該番組映像作成装置によって作成された映像を表示するための表示装置とを備えていることを特徴とする、番組映像表示装置。
【請求項２２】
請求項１から２０の何れか１項に記載の番組映像作成装置と、当該番組映像作成装置によって作成された映像を録画及び再生する録画再生装置とを備えていることを特徴とする、番組映像録画再生装置。
【請求項２３】
請求項１から２０の何れか１項に記載の各手段として、コンピュータを動作させるためのプログラム。
【請求項２４】
請求項２３に記載のプログラムが記録されたコンピュータ読み取り可能な記録媒体。
【請求項２５】
番組映像の視聴中に視聴中の番組に関連する他の番組の番組内容をユーザに提示するための関連番組提示映像を表示装置に表示させるために、表示装置に出力する映像を作成する番組映像作成方法において、
上記視聴中の番組映像に関する番組情報である視聴中番組情報を取得する視聴中番組情報取得工程と、
複数の番組の番組情報を含んだ番組情報群を取得する番組情報取得工程と、
上記視聴中番組情報に基づいて、上記番組情報群の中から、視聴中の番組に関連する関連番組の番組情報である関連番組情報を抽出する関連番組情報抽出工程と、
上記視聴中の番組映像と、上記関連番組情報に対応する関連番組の関連番組提示映像とを合成した合成映像を作成する合成工程とを含み、
上記合成工程では、上記合成映像において、第１及び第２の部分表示領域を設定し、第１の部分表示領域に上記視聴中の番組映像を縮小して挿入し、第２の部分表示領域に上記関連番組提示映像を挿入することを特徴とする、番組映像作成方法。
【発明の詳細な説明】
【技術分野】
【０００１】
本発明は、番組映像作成装置、番組映像表示装置、番組映像録画再生装置、番組表示方法、プログラム、及び記録媒体に関するものであり、より詳細には、放送される番組に関する番組映像を作成する番組映像作成装置及び番組映像作成方法、並びにこれらを実現するプログラム及び記録媒体、そして上記番組映像を表示する番組映像表示装置と、この番組映像作成装置に表示装置を組み合わせた番組映像表示装置と、さらには、この番組映像作成装置に録画装置を組み合わせた番組映像録画再生装置とに関するものである。
【背景技術】
【０００２】
近年、放送技術の分野において、放送のデジタル化が進められている。例えば、２００３年１２月に関東、中京、近畿の一部において地上波デジタル放送が既に開始され、２００６年末までには全国で開始される予定となっている。放送をデジタル化することにより帯域を効率よく利用できるため、高画質・高音質の放送や、データ放送、双方向サービスなどが利用できるようになっている。また、これと同時に、多チャンネル化が進み、数多くの番組が配信されるようになっている。これに伴って、ユーザには、数多くの番組の中から見たい番組を効率的に探し出す必要が生じてくる。
【０００３】
その一つの支援方法として、電子番組表（ＥＰＧ：Ｅｌｅｃｔｒｉｃ  Ｐｒｏｇｒａｍ  Ｇｕｉｄｅ）が利用されている。図２３に一般的な電子番組表の一例を示す。電子番組表は、図２３に示すように、チャンネルと時間とをそれぞれ軸とした２次元平面上に番組情報を配置したものである。ここでは、放送される番組のタイトルや内容を記載したテキスト情報がチャンネル毎に時系列で並んで配置される。ユーザは、この電子番組表を用いることによって、視聴したい番組の探索、選択、及び録画予約を行うことができる。
【０００４】
ところで、ユーザが電子番組表を用いて視聴したい番組を探索する場合、電子番組表に含まれる膨大な数の番組情報の中から、時間やチャンネル、あるいは番組のタイトルや内容のテキスト情報に基づいて、視聴したい番組を一つ一つ調べていく必要がある。このような煩雑な作業は、ユーザにとって大きな負担となっている。
【０００５】
上記の問題を解決する上で、テレビ番組の視聴から喚起されたユーザの関心を損なうことなく、視聴中の番組に関連する情報を与え、それらの情報を基に録画予約や録画番組の再生を行うことのできる技術が知られている。例えば、下記の特許文献１には、番組を視聴中に所定のボタンを押すと、今見ていた番組を基点として番組関連情報ページを表示し、そのページから過去に録画した番組の再生や未来に放送される番組の録画予約の操作を可能にする技術が開示されている。
【特許文献１】特開２００４−３５７１８４号公報（公開日：平成１６年１２月１６日）
【発明の開示】
【発明が解決しようとする課題】
【０００６】
しかしながら、上記特許文献１に記載の技術（以下「従来技術」という）においては、なお以下のような課題を有している。従来技術では、ユーザの関心のある他の番組についての番組情報を提示する際に、番組関連情報ページを表示する。このとき、番組関連情報ページによって視聴中の番組映像が隠されるため、ユーザは番組映像の視聴を中断せざるを得なくなってしまう。
【０００７】
また、番組関連情報ページには、番組情報のテキストが過去に放送されたものであるか、現在放送中のものであるか、これから放送予定のものであるかの区別なく一覧表示されているため、録画番組を再生するには、リストの中から録画済み表示アイコンを見つけ、カーソルを移動して選択し、番組の詳細情報と操作コマンド群の表示画面とを見ながら「この番組を再生」のコマンドにカーソルを合わせて選択する操作が必要である。また、録画予約する場合、同じ番組関連情報ページのリストから選択することになり、録画済み表示アイコンや録画予約済み表示アイコンで番組の状態の識別が可能であるものの、それらのアイコンの意味を理解していなければ、誤って録画済みの番組を録画予約可能な番組として選択してしまう可能性がある。このように、従来技術では、一見しただけで録画可能な番組と録画予約可能な番組との区別がつきにくい。
【０００８】
本発明は、上記の課題に鑑みてなされたものであり、その主たる目的は、番組映像の視聴を妨げることなく、関連番組の番組内容をユーザに提示するための関連番組提示映像を表示装置に表示させるために、表示装置に出力する映像を作成する番組映像作成装置及び番組表示方法を提供することにある。
【０００９】
また、本発明のさらなる目的は、ユーザが関連番組の放送状態を容易に把握できる映像を作成する番組映像作成装置及び番組表示方法を提供することにある。
【課題を解決するための手段】
【００１０】
本発明に係る番組映像作成装置は、番組映像の視聴中に視聴中の番組と関連する他の番組の番組内容をユーザに提示するための関連番組提示映像を表示装置に表示させるために、表示装置に出力する映像を作成する番組映像作成装置であって、上記の課題を解決するために、上記視聴中の番組映像に関する番組情報である視聴中番組情報を取得する視聴中番組情報取得部と、複数の番組の番組情報を含んだ番組情報群を取得する番組情報取得部と、上記視聴中番組情報に基づいて、上記番組情報群の中から、視聴中の番組に関連する関連番組の番組情報である関連番組情報を抽出する関連番組情報抽出手段と、上記視聴中の番組映像と、上記関連番組情報に対応する関連番組の関連番組提示映像とを合成した合成映像を作成する合成手段とを備え、上記合成手段が、上記合成映像において、第１及び第２の部分表示領域を設定し、第１の部分表示領域に上記視聴中の番組映像を縮小して挿入し、第２の部分表示領域に上記関連番組提示映像を挿入することを特徴とする。
【００１１】
上記構成によれば、合成映像には、縮小された視聴中の番組映像と、その関連番組の関連番組提示映像とが合成されて表示される。よって、番組映像作成装置は、番組映像の視聴を妨げることなく、関連番組提示映像を表示装置に表示させるための映像を作成することができる。
【００１２】
また、上記視聴中の番組映像が、放送中の番組を受信することによって取得した受信中番組映像であり、上記番組映像作成装置は、上記関連番組情報抽出手段によって抽出された関連番組情報に基づいて、当該関連番組情報に対応する関連番組を、当該関連番組が放送中か否かに応じて放送中グループ又はそれ以外のグループに分類する関連番組分類手段をさらに備え、上記合成手段が、上記合成映像において、第１の部分表示領域に隣接した部分表示領域である第１の隣接部分表示領域をさらに設定し、第１の隣接部分表示領域に、放送中グループに分類された関連番組の関連番組提示映像を挿入し、第２の部分表示領域に、それ以外のグループに分類された関連番組の関連番組提示映像を挿入することが好ましい。
【００１３】
上記構成によれば、合成映像における第１の部分表示領域及び第１の隣接部分表示領域には、放送中の番組に関する映像が表示され、第２の部分表示領域には、それ以外の関連番組に関する映像が表示される。よって、ユーザは、合成映像を見た際に、どの関連番組が放送中で、どの関連番組が放送中でないかを、容易に把握することができる。
【００１４】
また、上記番組映像作成装置は、上記合成画像における第１の隣接部分表示領域を選択可能な部分表示領域選択手段と、上記受信中番組映像と上記合成手段によって作成された合成映像とを切り換えて出力する映像切換手段と、現在放送中の他の番組映像を受信するために受信チャンネルを切り換えるチャンネル切換手段とをさらに備え、上記チャンネル切換手段が、上記部分表示領域選択手段によって第１の隣接部分表示領域が選択された際に、受信チャネルを、第１の隣接部分表示領域に表示された関連番組提示映像に対応する関連番組が放送されているチャンネルに切り換え、上記映像切換手段が、上記部分表示領域選択手段によって第１の隣接部分表示領域が選択された際に、受信中番組映像を出力することが好ましい。
【００１５】
上記構成によれば、第１の隣接部分表示領域を選択した際に、チャンネル切換手段が、その隣接部分表示領域に表示された関連番組が放送されているチャンネルに、受信チャンネルを切り換えるとともに、映像切換部２０が、合成映像ではなく、放送中の番組映像を出力するようになる。よって、隣接部分表示領域に表示されていた関連番組の番組映像が表示されるようになる。以上のように、ユーザは、合成映像を見た際に、興味のある関連番組を容易に選局することができる。
【００１６】
また、上記視聴中の番組映像が、過去に放送された番組映像を録画した録画済番組映像であり、上記番組映像作成装置は、上記関連番組情報抽出手段によって抽出された関連番組情報に対応する各関連番組を、当該関連番組が放送済みであるか否かに応じて放送済グループ又はそれ以外のグループに分類する関連番組分類手段をさらに備え、上記合成手段が、上記合成映像において、第１の部分表示領域に隣接した第１の隣接部分表示領域をさらに設定し、第１の隣接部分表示領域に、放送済グループに分類された関連番組の関連番組提示映像を挿入し、第２の部分表示領域に、それ以外のグループに分類された関連番組の関連番組提示映像を挿入することが好ましい。
【００１７】
上記構成によれば、合成映像における第１の部分表示領域及び第１の隣接部分表示領域には、放送済みの番組に関する映像が表示され、第２の部分表示領域には、それ以外の関連番組に関する映像が表示される。よって、ユーザは、合成映像を見た際に、どの関連番組が放送済みで、どの関連番組が放送済みでないかを、容易に把握することができる。
【００１８】
また、上記番組映像作成装置は、過去に放送された番組映像を録画した録画済番組映像を取得する録画済番組映像取得部と、上記合成画像において第１の隣接部分表示領域を選択可能な部分表示領域選択手段と、上記録画済番組映像と上記合成手段によって作成された合成映像とを切り換えて出力する映像切換手段と、上記録画済番組映像取得部によって視聴中の録画済番組映像とは異なる録画済番組映像を取得することによって、視聴する録画済番組映像を切り換える再生番組切換手段と、をさらに備え、上記再生番組切換手段が、上記部分表示領域選択手段によって第１の隣接部分表示領域が選択された際に、現在視聴中の録画済番組映像から第１の隣接部分表示領域に表示された関連番組提示映像に対応する関連番組の録画済番組映像に、視聴する番組映像を切り換え、上記映像切換手段が、上記部分表示領域選択手段によって第１の隣接部分表示領域が選択された際に、録画済番組映像を出力することが好ましい。
【００１９】
上記構成によれば、第１の隣接部分表示領域を選択した際に、録画済番組映像取得部が、その隣接部分表示領域に表示された関連番組の録画済番組映像を取得するとともに、映像切換部２０が、合成映像ではなく、録画済番組映像を出力するようになる。よって、隣接部分表示領域に表示されていた関連番組の録画済番組映像が表示されるようになる。以上のように、ユーザは、合成映像を見た際に、興味のある関連番組の録画済番組映像を容易に再生することができる。
【００２０】
また、上記番組映像作成装置は、放送される番組映像を録画する録画装置に対して、番組の録画予約を指示可能な録画予約指手段と、上記合成画像において第２の部分表示領域を選択可能な部分表示領域選択手段と、をさらに備え、上記関連番組分類手段が、上記関連番組情報抽出手段によって抽出された関連番組情報に対応する関連番組を、これから放送される予定であるか否かに応じて、放送予定グループ又はそれ以外のグループに分類し、上記合成手段が、第２の部分表示領域に、放送予定グループに分類された関連番組の関連番組提示映像を挿入し、上記録画予約指示手段は、上記部分表示領域選択手段によって第２の部分表示領域が選択された際に、第２の部分表示領域に表示された関連番組提示映像に対応する関連番組の録画予約を指示することが好ましい。
【００２１】
上記構成によれば、第２の部分表示領域を選択することによって、その部分表示領域に表示された関連番組の録画予約を行うことができる。以上のように、ユーザは、合成映像を見た際に、興味のある関連番組を容易に録画予約することができる。
【００２２】
また、上記関連番組抽出手段は、上記視聴中番組情報と上記番組情報群に含まれる各番組情報との比較に基づいて、当該番組情報に対して視聴中番組との番組内容の関連度を設定する関連度設定手段を含むとともに、当該関連度に基づいて関連番組情報を抽出し、上記合成手段は、合成映像において、第２の部分表示領域の上下方向又は左右方向に複数の部分領域が直列に配列された第２の部分表示領域群を設定し、この第２の部分表示領域群の各部分領域に、それ以外のグループに分類された関連番組の関連番組提示映像を、その関連度に基づいた配置で挿入することが好ましい。
【００２３】
上記構成によれば、第２の部分表示領域群には、関連番組に関する映像が、その関連度に基づいて配置される。関連度に基づいて表示する方法としては、例えば、昇順、降順、又は、関連度の高いものから順に中央から外側に配置するなどの方法が挙げられる。このようにすることにより、ユーザは、関連番組に関する映像が第２の部分表示領域群に一覧表示された際に、どの関連番組が視聴中の番組と高い関連度を有しているかを容易に把握することができる。
【００２４】
また、上記合成手段は、第２の部分表示領域群の各部分表示領域に、関連番組提示映像を、その関連度が小さくなるのにつれて視聴中の番組映像が挿入される部分表示領域から離れるように挿入することが好ましい。
【００２５】
上記構成によれば、第２の部分表示領域群において、視聴中の番組映像に近づくほど視聴中の番組と関連度の高い関連番組に関する映像が表示されるようになる。よって、ユーザは、合成映像を見た際に、どの関連番組が視聴中の番組と高い関連度を有しているかを直感的に把握することができる。
【００２６】
また、上記視聴中番組情報及び上記番組情報取得部によって取得される番組情報は、番組のジャンルに関する情報を含み、上記関連度設定手段は、視聴中番組情報取得部によって取得された番組のジャンルと、上記番組情報取得部によって取得された番組のジャンルとの比較に基づいて、関連度を設定することが好ましい。
【００２７】
上記構成によれば、番組情報に含まれる番組のジャンルによって関連度を設定することができる。
【００２８】
上記視聴中番組情報及び上記番組情報取得部によって取得される番組情報は、番組のサブジャンルに関する文字列の情報をさらに含み、上記関連度設定手段は、視聴中番組情報取得部によって取得された番組のジャンル及びサブジャンルの文字列と、上記番組情報取得部によって取得された番組のジャンル及びサブジャンルの文字列との比較に基づいて、関連度を設定することが好ましい。
【００２９】
上記構成によれば、ジャンルに加え、さらにサブジャンルも考慮して番組の関連度を設定することができる。よって、関連度をより詳細に設定することができる。
【００３０】
また、上記関連度設定手段は、番組のジャンルとサブジャンルの文字列とが、上記視聴中番組情報と上記番組情報取得部によって取得された番組情報との間で、次の条件（ａ）〜（ｃ）
（ａ）何れも一致する
（ｂ）ジャンルは一致し、サブジャンルは文字列の一部のみ一致する
（ｃ）ジャンルのみ一致しサブジャンルの文字列は全く一致しない、又は、サブジャンルの文字列の一部若しくは全部が一致しジャンルは一致しない
を満たす順に、関連度を高く設定することが好ましい。
【００３１】
また、上記視聴中番組情報及び上記番組情報取得部によって取得される番組情報は、番組のタイトルに関する文字列の情報をさらに含み、上記関連度設定手段は、上記の条件（ａ）〜（ｃ）の何れか１つの条件を満たす番組情報が複数ある場合、これらの番組情報に対して、当該番組情報のタイトルの文字列の一部又は全部が上記視聴中番組情報と一致するか否かに応じて、関連度に差をつけることが好ましい。
【００３２】
上記構成によれば、同一の条件を満たす関連番組が複数あった場合でも、関連度設定手段は、番組のタイトルに基づいて各関連番組に対して異なる関連度を設定することができる。よって、関連度をより詳細に設定することができるようになる。
【００３３】
また、上記視聴中番組情報及び上記番組情報取得部によって取得される番組情報は、番組の詳細内容を説明した文字列の情報をさらに含み、上記関連度設定手段は、上記の条件（ａ）〜（ｃ）の何れか１つの条件を満たす番組情報が複数ある場合、これらの番組情報に対して、当該番組情報の詳細内容の文字列の一部又は全部が上記視聴中番組情報と一致するか否かに応じて、関連度に差をつけてもよい。
【００３４】
上記構成によれば、同一の条件を満たす関連番組が複数あった場合でも、関連度設定手段は、番組の詳細内容を示す記述に基づいて各関連番組に対して異なる関連度を設定することができる。よって、関連度をより詳細に設定することができるようになる。
【００３５】
また、上記視聴中番組情報及び上記番組情報取得部によって取得される番組情報は、番組の出演者に関する情報をさらに含み、上記関連度設定手段は、上記の条件（ａ）〜（ｃ）の何れか１つの条件を満たす番組情報が複数ある場合、これらの番組情報に対して、当該番組情報の出演者の一部又は全部が上記視聴中番組情報と一致するか否かに応じて、関連度に差をつけてもよい。
【００３６】
上記構成によれば、同一の条件を満たす関連番組が複数あった場合でも、関連度設定手段は、番組の出演者に基づいて各関連番組に対して異なる関連度を設定することができる。よって、関連度をより詳細に設定することができるようになる。
【００３７】
また、上記視聴中の番組映像が、放送中の番組映像を受信することによって取得した受信中番組映像であり、上記番組映像作成装置は、上記関連番組情報抽出手段によって抽出された関連番組情報に対応する各関連番組を、当該番組が放送中であるか、既に放送済みであるか、これから放送予定であるかに応じて、それぞれ放送中グループ、放送済みグループ、放送予定グループに分類する関連番組分類手段をさらに備え、上記合成手段は、上記合成映像において、第１、第２、及び第３の部分表示領域を設定し、第１の部分表示領域に上記視聴中番組映像を縮小して挿入し、第２の部分表示領域に、上記放送済みグループに分類された関連番組の関連番組提示映像を挿入し、第３の部分表示領域に、上記放送予定グループに分類された関連番組の関連番組提示映像を挿入してもよい。
【００３８】
また、上記視聴中の番組映像が、過去に放送された番組映像を録画した録画済番組映像であり、上記番組映像作成装置は、上記関連番組情報抽出手段によって抽出された関連番組情報に対応する各関連番組を、当該番組が放送中であるか、既に放送済みであるか、これから放送予定であるかに応じて、それぞれ放送中グループ、放送済みグループ、放送予定グループに分類する関連番組分類手段をさらに備え、上記合成手段は、上記合成映像において、第１、第２、及び第３の部分表示領域を設定し、第１の部分表示領域に上記視聴中番組映像を縮小して挿入し、第２の部分表示領域に、上記放送中グループに分類された関連番組の関連番組提示映像を挿入し、第３の部分表示領域に、上記放送予定グループに分類された関連番組の関連番組提示映像を挿入してもよい。
【００３９】
上記構成によれば、第１、第２、及び第３の部分表示領域には、それぞれ、異なる放送状態の番組に関する映像が表示される。従って、ユーザは、合成映像を見た際に、どの関連番組がどの放送状態であるかを容易に把握することができる。
【００４０】
また、本発明に係る番組映像作成装置は、放送されている番組映像の視聴中に、他の番組の番組内容をユーザに提示するための関連番組提示映像を表示装置に表示させるために、表示装置に出力する映像を作成する番組映像作成装置であって、上記視聴中の番組映像に関する番組情報である視聴中番組情報を取得する視聴中番組情報取得部と、複数の番組の番組情報を含んだ番組情報群を取得する番組情報取得部と、上記視聴中番組情報に基づいて、上記番組情報群の中から、視聴中の番組に関連する関連番組の番組情報である関連番組情報を抽出する関連番組情報抽出手段と、上記関連番組情報に対応する各関連番組を、当該関連番組が放送中であるか、既に放送済みであるか、これから放送される予定であるかに応じて、それぞれ放送中グループ、放送済みグループ、放送予定グループに分類する関連番組分類手段と、上記視聴中の番組映像と、上記関連番組情報に対応する関連番組の関連番組提示映像とを合成した合成映像を作成する合成手段とを備え、上記合成手段が、上記合成映像の一部又は全部を、３行又は３列のマトリックス状に配置された部分表示領域に分割し、
（ａ）上記マトリックスが３行の場合には、それぞれの行を、あるいは
（ｂ）上記マトリックスが３列の場合には、それぞれの列を、
第１の部分表示領域群、第２の部分表示領域群、第３の部分表示領域群に設定し、第１の部分表示領域群の一つの部分表示領域に、縮小した視聴中の番組映像を挿入し、第１の部分表示領域群の他の部分表示領域に、上記放送中グループに分類された関連番組の関連番組提示映像を挿入し、第２の部分表示領域群の各部分表示領域に、上記放送済みグループに分類された関連番組の関連番組提示映像を挿入し、第３の部分表示領域群の各部分表示領域に、上記放送予定グループに分類された関連番組の関連番組提示映像を挿入することを特徴とする。
【００４１】
上記構成によれば、第１の部分表示領域群には、視聴中の番組映像と、放送中グループに分類された関連番組に関する映像とが表示され、第２の部分表示領域群には、放送済みグループに分類された関連番組に関する映像が表示され、第３の部分表示領域には、放送予定グループに分類された関連番組に関する映像が表示される。よって、ユーザは、合成映像を見た際に、どの関連番組がどのような放送状態であるかを容易に把握することができる。
【００４２】
また、上記番組映像作成装置は、上記関連番組情報抽出手段によって抽出された関連番組情報に基づいて、当該関連番組情報の一部又は全部が表示された関連番組情報映像を作成する関連番組情報映像作成手段をさらに備え、上記関連番組提示映像の少なくとも１つが、上記関連番組情報映像作成手段によって作成された関連番組情報映像であることが好ましい。
【００４３】
上記構成によれば、関連番組の番組内容をユーザに提示させる映像として、関連番組情報が表示された映像が用いられる。よって、ユーザは、関連番組情報が表示された映像を見ることによって、関連番組の番組内容を推測することができる。
【００４４】
また、上記番組映像作成装置は、上記関連番組情報抽出手段によって抽出された関連番組情報に基づいて、当該関連番組情報に対応する現在放送中の関連番組の番組映像を取得する放送中関連番組映像取得部をさらに備え、上記関連番組提示映像の何れかが、上記放送中番組映像取得部によって取得された現在放送中の番組映像であることが好ましい。
【００４５】
上記構成によれば、関連番組の番組内容をユーザに提示する映像として、放送中の関連番組の番組映像が用いられる。よって、ユーザは、放送中の関連番組の番組映像を見ることによって、関連番組の番組内容を推測することができる。
【００４６】
また、上記番組映像作成装置は、過去に放送された番組映像を録画した録画済番組映像を貯蔵している録画済番組映像記憶部から、上記関連番組情報抽出手段によって抽出された関連番組情報に基づいて、当該関連番組情報に対応する関連番組の録画済番組映像を取得する録画済番組映像取得部をさらに備え、上記関連番組提示映像の何れかが、上記録画済番組映像取得部によって取得された録画済番組映像であることが好ましい。
【００４７】
上記構成によれば、関連番組の番組内容をユーザに提示する映像として、録画済みの関連番組の番組映像が用いられる。よって、ユーザは、録画済みの関連番組の番組映像を見ることによって、関連番組の番組内容を推測することができる。
【００４８】
また、本発明に係る番組映像表示装置は、上記の何れか１つの番組映像作成装置と、当該番組映像作成装置によって作成された映像を表示するための表示装置とを備えていることを特徴とする。
【００４９】
上記構成によれば、番組映像の視聴を妨げることなく、関連番組提示映像を表示できる番組映像表示装置を実現できる。
【００５０】
また、本発明に係る番組映像録画再生装置は、上記の何れか１つの番組映像作成装置と、当該番組映像作成装置によって作成された映像を録画及び再生する録画再生装置とを備えていることを特徴とする。
【００５１】
上記構成によれば、番組映像の視聴を妨げることなく、関連番組の番組内容をユーザに提示するための映像を表示装置に表示させるための映像を作成し、かつ、番組映像を録画できる番組映像録画再生装置を実現することができる。
【００５２】
ところで、上記番組映像作成装置は、ハードウェアで実現してもよいし、プログラムをコンピュータに実行させることによって実現してもよい。具体的には、本発明に係るプログラムは、上記各手段としてコンピュータを動作させるプログラムであり、本発明に係る記録媒体には、当該プログラムが記録されている。
【００５３】
これらのプログラムがコンピュータによって実行されると、当該コンピュータは、上記番組映像作成装置として動作する。したがって、上記番組映像作成装置と同様に、番組映像の視聴を妨げることなく、関連番組の番組内容をユーザに提示するための映像を表示装置に表示させるために、表示装置に出力する映像を作成できる。
【００５４】
また、本発明に係る番組映像作成装置は、番組映像の視聴中に視聴中の番組に関連する他の番組の番組内容をユーザに提示するための関連番組提示映像を表示装置に表示させるために、表示装置に出力する映像を作成する番組映像作成方法であって、上記課題を解決するために、上記視聴中の番組映像に関する番組情報である視聴中番組情報を取得する視聴中番組情報取得工程と、複数の番組の番組情報を含んだ番組情報群を取得する番組情報取得工程と、上記視聴中番組情報に基づいて、上記番組情報群の中から、視聴中の番組に関連する関連番組の番組情報である関連番組情報を抽出する関連番組情報抽出工程と、上記視聴中の番組映像と、上記関連番組情報に対応する関連番組の関連番組提示映像とを合成した合成映像を作成する合成工程とを含み、上記合成工程では、上記合成映像において、第１及び第２の部分表示領域を設定し、第１の部分表示領域に上記視聴中の番組映像を縮小して挿入し、第２の部分表示領域に上記関連番組提示映像を挿入することを特徴とする。
【００５５】
上記構成によれば、合成映像には、縮小された視聴中の番組映像と、その関連番組の関連番組提示映像とが合成されて表示される。よって、番組映像の視聴を妨げることなく、関連番組の番組内容を提示する映像を表示装置に表示させるために、表示装置に出力する映像を作成することができる。
【発明の効果】
【００５６】
以上のように、本発明に係る番組映像作成装置は、視聴中の番組映像と、関連番組情報に対応する関連番組の関連番組提示映像とを合成した合成映像を作成する合成手段を備え、合成手段が、合成映像において、第１及び第２の部分表示領域を設定し、第１の部分表示領域に視聴中の番組映像を縮小して挿入し、第２の部分表示領域に関連番組提示映像を挿入する構成となっている。
【００５７】
また、本発明に係る別の番組映像作成装置は、合成手段が、合成映像の一部又は全部を、３行又は３列のマトリックス状に配置された部分表示領域に分割し、
（ａ）上記マトリックスが３行の場合には、それぞれの行を、あるいは
（ｂ）上記マトリックスが３列の場合には、それぞれの列を、
第１の部分表示領域群、第２の部分表示領域群、第３の部分表示領域群に設定し、第１の部分表示領域群の一つの部分表示領域に、縮小した視聴中の番組映像を挿入し、第１の部分表示領域群の他の部分表示領域に、上記放送中グループに分類された関連番組の関連番組提示映像を挿入し、第２の部分表示領域群の各部分表示領域に、上記放送済みグループに分類された関連番組の関連番組提示映像を挿入し、第３の部分表示領域群の各部分表示領域に、上記放送予定グループに分類された関連番組の関連番組提示映像を挿入する構成となっている。
【００５８】
また、本発明に係る番組映像作成方法は、視聴中の番組映像と、関連番組情報に対応する関連番組の関連番組提示映像とを合成した合成映像を作成する合成工程とを含み、合成工程では、合成映像において、第１及び第２の部分表示領域を設定し、第１の部分表示領域に上記視聴中の番組映像を縮小して挿入し、第２の部分表示領域に上記関連番組提示映像を挿入する構成となっている。
【００５９】
従って、上述したように、番組映像の視聴を妨げることなく、関連番組の番組内容をユーザに提示するための映像を表示装置に表示させるために、表示装置に出力する映像を作成することができるという効果を奏する。
【発明を実施するための最良の形態】
【００６０】
本発明の一実施形態について図１から図２２に基づいて説明すると以下の通りである。本実施形態に係る番組出力装置は、表示装置及びスピーカーなどによって放送番組の映像及び音声を再生するために必要な、映像及び音声の出力信号を作成する装置である。
【００６１】
〔ハードウェア構成〕
図２は、本実施の形態に係る番組出力装置（番組映像作成装置）１のハードウェア構成の一例を示すブロック図である。以下、各部について説明する。
【００６２】
番組出力装置１は、図２に示す各部（ただし、表示出力装置１３０、ＩＣカード１１６、録画再生装置１１７、及びリモコン３００を除く）を有している。アンテナ２００は、放送電波を受信するためのものである。ここで、放送電波とは、衛星放送からの電波や、地上波放送に用いられる電波などを含む。アンテナ２００で受信された放送電波は番組出力装置１の受信部１２０のチューナー１０１に送られる。なお、番組出力装置１は、電波による放送を受信する装置に限定されるわけではなく、ＣＡＴＶのＳＴＢ（Ｓｅｔ  Ｔｏｐ  Ｂｏｘ）のように有線放送を受信するものであってもよい。
【００６３】
受信部１２０はチューナー１０１及び復調部１０２を備えている。チューナー１０１は、リモコン３００などを介したユーザからの指示に応答してチャンネルの選局を行い、復調部１０２に受信信号を渡す。ここで、番組出力装置１は、複数のチューナー１０１を備えていてもよく、これにより、現在放送中の番組映像を複数表示したり、録画再生装置１１７で複数の番組を同時に録画できるようになる。復調部１０２は、受信信号を受信データに復調する。復調された受信データは、ＴＳデコーダー１０３に送信される。
【００６４】
ここで、デジタル放送の場合、受信データはＭＰＥＧ２−ＴＳ（Ｔｒａｎｓｐｏｒｔ Ｓｔｒｅａｍ）形式である。ＭＰＥＧ２−ＴＳ形式のデータには、ＭＰＥＧ２方式で圧縮された放送番組の映像及び音声の情報と字幕データの情報とを持つＡＶデータと、ＥＰＧ（電子番組表）の番組情報データとが多重化されて含まれている。
【００６５】
ＴＳデコーダー１０３は、ＭＰＥＧ２−ＴＳのデータを解釈し、ＡＶデータと番組情報データとに分離し、ＡＶデータをＡＶデコーダー１０４に送り、番組情報データをＣＰＵ（Ｃｅｎｔｒａｌ  Ｐｒｏｃｅｓｓｉｎｇ  Ｕｎｉｔ）１１２に送る。
【００６６】
ＡＶデコーダー１０４は、ＴＳデコーダー１０３からＡＶデータを受け取ると、これを映像データと音声データに分離する。そして、映像データに対してＭＰＥＧ２方式に基づいた伸張復号処理を施して元の映像を再生し、音声データに対しても再生音声に復号し、再生する。再生された映像はマルチプレクサ１０５に送られ、再生された音声は表示出力装置１３０に送られる。なお、ＡＶデコーダー１０４は、作業データ用の書き込み可能なメモリとしてＲＡＭ１０４Ａを持っていてもよい。
【００６７】
マルチプレクサ１０５は、ＡＶデータに基づいて作成した映像と、後述するグラフィックス生成部（ＯＳＤ）１０９によって作成された番組情報映像とを合成する。マルチプレクサ１０５によって作成された合成映像は、表示出力装置１３０に出力される。
【００６８】
表示出力装置（映像表示装置）１３０は、映像表示部１０７及び音声出力部１０６を備えている。映像表示部１０７は、画像又は映像を表示できるものであればよく、例えば、液晶表示パネル、プラズマディスプレイパネル、又はＣＲＴ（Ｃａｔｈｏｄｅ−ｒａｙ  Ｔｕｂｅ）などを含んでいる。また、音声出力部１０６は、番組の音声を出力するためのものであり、各種スピーカーを含んでいる。マルチプレクサ１０５を介して送られてきた再生映像は、映像表示部１０７にてユーザに表示される。また、送られてきた再生音声は、音声出力部からユーザに向けて出力される。
【００６９】
次に、ＴＳデコーダー１０３から送られた番組情報データの流れについて説明する。ＣＰＵ１１２は、番組表示装置１００全体を統括制御するものである。また、ＣＰＵ１１２は、バス１５０経由で転送されてくる番組情報に対して、録画、録画予約、再生などに必要な各種処理も行う。ＲＯＭ１１０は、番組出力装置１の電源投入時に実行する自己診断及び初期化プログラムや、ハードウェア操作用のコードを格納した読み出し専用メモリである。ＲＡＭ１１１は、ＣＰＵ１１２の実行プログラムコードをロードしたり、実行プログラムに必要なデータベースや作業データを格納するために使用される。
【００７０】
本実施形態において、ＲＡＭ１１１は、ＥＰＧの番組情報データを格納する。この番組情報データとは、デジタル放送で送信されるＳＩ（Ｓｅｒｖｉｃｅ  Ｉｎｆｏｒｍａｔｉｏｎ）情報の中のＥＩＴ（Ｅｖｅｎｔ  Ｉｎｆｏｒｍａｔｉｏｎ  Ｔａｂｌｅ）によって伝送される放送番組の情報データであり、例えば、図３に示すように、放送日時、放送局チャンネル、番組タイトル、番組ジャンル、番組サブジャンル、番組の内容、及び出演者などの情報が含まれている。
【００７１】
なお、ＲＡＭ１１１に格納する番組情報は、デジタル放送により送信されるＳＩ情報に限らず、インターネットを利用して取得できる番組情報データであってもよい。この場合、後述する通信部１１３によってインターネットから番組情報データを取得する。また、番組出力装置１がメモリカードやハードディスク等の外部記憶装置を接続できる構成の場合、外部記憶装置に格納された番組情報データを取得してもよい。
【００７２】
グラフィックス生成部１０９は、放送された番組映像以外の各種情報画像（映像）を生成するものであり、文字表示機能（ＯＳＤ：Ｏｎ  Ｓｃｒｅｅｎ  Ｄｉｓｐｌａｙ）を含んでいる。なお、グラフィックス生成部１０９は、ＣＰＵ１１２に送られた番組情報データに基づいて、番組情報が表示された映像も生成する。グラフィックス生成部１０９によって生成された各種情報画像はマルチプレクサ１０５に送られ、上述したように、マルチプレクサ１０５が、番組映像と情報画像とを合成して、合成映像の出力信号を表示装置１３０に送信する。
【００７３】
操作部１０８は、番組出力装置１本体に設けられた、ユーザが操作するための操作部であり、リモコン３００から出力された赤外線や無線の信号を受信する受信部も含んでいる。通信部１１３は、ＬＡＮ（Ｌｏｃａｌ  Ａｒｅａ  Ｎｅｔｗｏｒｋ）ケーブルやモデムなどを接続することにより、光回線や電話回線などを介してインターネットに接続するためのインターフェースである。カードＩ／Ｆ（インターフェース）１１４は、デジタル放送番組の著作権保護や有料放送の視聴のために必要なＢ−ＣＡＳカードなどのＩＣカード１１６を装着するためのインターフェースである。外部装置通信部１１５は、ＩＥＥＥ１３９４やイーサネット（登録商標）、無線ＬＡＮ（ＩＥＥＥ８０２．１１ａ／ｂ／ｇ）などを介してハードディスクレコーダーやＤＶＤレコーダーなどの録画再生装置１１７と接続して録画や再生を行うためのものである。
【００７４】
図４は、リモコン（部分表示領域選択手段）３００の構造を示す平面図である。リモコン３００は、図３に示すように、電源ボタン３０１、チャンネルボタン群３０２、上下左右ボタン３０３（３０３Ａ〜３０３Ｄ）、決定ボタン３０４、キャンセルボタン３０６、関連番組ボタン３０５を備えている。
【００７５】
電源ボタン３０１は、番組出力装置１の電源をＯＮ／ＯＦＦするためのボタンである。チャンネルボタン群３０２は、チューナー１０１を操作して、放送の受信チャンネルを切り換えるためのものであり、ボタン表面に記載されたチャンネルに変更する。また、上下左右ボタン３０３Ａ〜３０３Ｄによって、チャンネルを変更することも可能である。決定ボタン３０４、キャンセルボタン３０６については後述する。関連番組ボタン３０５は、番組情報を表示させるためのボタンである。
【００７６】
〔機能構成〕
次に、機能的な観点から番組出力装置１の構成を説明する。図１は、番組出力装置１の要部構成を示す機能ブロック図である。番組出力装置１は、放送されている番組の映像信号を受信するための放送受信部１１、及び受信した映像信号から番組映像を作成（復元）する放送中番組映像作成部１２を備えている。放送受信部１１は、例えば、上述したアンテナ２００及び受信部１２０などによって実現されるがこれに限定されない。また、放送中番組映像作成部１２は、例えば、上述したＴＳデコーダー及びＡＶデコーダーなどによって実現されるがこれに限定されない。
【００７７】
また、番組出力装置１は、番組情報取得部１３、視聴中番組情報取得部１４、関連番組情報抽出部（関連番組情報抽出手段）１５、放送状態分類部（関連番組分類手段）１６、関連番組情報映像作成部（関連番組情報映像作成手段）１７、及び記憶部３０をさらに備えている。
【００７８】
記憶部３０は、上述したＲＡＭ１１１などによって構成され、番組情報を格納する番組情報データベース３１や、放送状態に応じて分類された番組ＩＤを格納するための一時記憶領域を含んでいる。
【００７９】
番組情報取得部１３は、番組情報データを取得するためのものである。本実施形態では、番組情報データとして、上述した放送電波に含まれるＳＩ情報の中のＥＩＴを利用する。この番組情報取得部１３は、例えば、上述したＴＳデコーダー１０３、ＣＰＵ１１２、及びＲＡＭ１１１などによって構成されるがこれに限定されない。
【００８０】
視聴中番組情報取得部１４は、現在視聴中の番組の番組情報を取得するためのものである。視聴中番組情報取得部１４は、ＣＰＵ１１２、ＲＡＭ１１１などのハードウェアと、これらを制御するプログラム（ソフトウェア）との協同作用によって実現される。
【００８１】
関連番組情報抽出部１５は、現在視聴中の番組の番組情報に基づいて、上記番組情報データベースの中から、視聴中の番組に関連する番組の番組情報を抽出するためのものである。関連番組情報抽出部１５は、ＣＰＵ１１２、ＲＡＭ１１１などのハードウェアと、これらを制御するプログラム（ソフトウェア）との協同作用によって実現される。
【００８２】
放送状態分類部１６は、関連番組情報抽出部１５によって番組情報が抽出された関連番組を、放送状態に応じて各グループに分類する。具体的には、図示しない時計部から送信される現在の日付及び時刻を基準として、各関連番組が、（い）過去に放送済みであるか、（ろ）現在放送中であるか、（は）これから放送予定であるか、に応じて、（イ）放送済みグループ、（ロ）放送中グループ、（ハ）放送予定グループの何れかに分類する。実際には、関連番組を識別するためのＩＤが、放送状態に応じて記憶部３０の放送済み番組ＩＤ格納領域３２、放送中番組ＩＤ格納領域３３、又は放送予定番組ＩＤ格納領域３４に格納される。放送状態分類部１６は、ＣＰＵ１１２、ＲＡＭ１１１などのハードウェアと、これらを制御するプログラム（ソフトウェア）との協同作用によって実現される。
【００８３】
関連番組情報映像作成部１７は、関連番組情報が表示された映像を作成するためのものである。表示される情報としては、番組情報データベース３１に含まれる各番組情報の全情報、具体的には、放送日時、放送局チャンネル、番組タイトル、番組ジャンル、番組サブジャンル、番組の内容、及び出演者などの全情報であってもよいし、この中の一部であってもよい。関連番組情報映像作成部１７は、例えば、上述したグラフィックス生成部１０９などによって実現されるが、これに限定されることはなく、ＣＰＵ１１２、ＲＡＭ１１１などのハードウェアと、これらを制御するプログラム（ソフトウェア）との協同作用によって実現されてもよい。
【００８４】
また、番組出力装置１は、録画済番組映像取得部１９を備えている。録画済番組映像取得部１９は、番組映像録画再生装置５０から録画済番組映像を取得するためのものである。番組映像録画再生装置５０は、放送された番組映像を録画することによって作成された録画済番組映像の映像データを蓄積する録画済番組映像データベース５１と、このデータベースから映像データを読み出し、録画済番組映像を作成（再生）する録画済番組映像作成部５２とを備えている。録画済番組映像取得部１９は、外部装置通信部１１５からＩＥＥＥ１３９４やイーサネット（登録商標）、無線ＬＡＮ（ＩＥＥＥ８０２．１１ａ／ｂ／ｇ）などを介して番組映像録画再生装置５０と接続される、そして、番組映像録画再生装置５０との間でコマンドをやり取りすることにより、録画済番組映像データベース５１に格納されている録画済番組映像を自在に取得できるように構成されている。なお、番組出力装置１及び番組映像録画再生装置５０は、ＤＬＮＡ（Ｄｉｇｉｔａｌ  Ｌｉｖｉｎｇ  Ｎｅｔｗｏｒｋ  Ａｌｌｉａｎｃｅ）ガイドラインに準拠した装置同士であってもよい。また、番組映像録画再生装置５０は、番組出力装置１と一体となっていてもよい。なお、番組映像録画再生装置５０の具体例としては、ＨＤＤレコーダーやＤＶＤレコーダーなどが挙げられる。
【００８５】
また、番組出力装置１は、合成部（合成手段）１８を備えている。合成部１８は、視聴中の番組映像と、関連番組の番組内容をユーザに提示するための関連番組提示映像とを合成した合成映像を作成するためのものである。より具体的には、放送中番組作成部１２から送られてくる放送中の番組映像と、録画済番組映像取得部１９が取得した録画済番組映像と、関連番組情報映像作成部１７から送られてくる関連番組情報が表示された映像とを、適宜合成した合成映像を作成する。なお、合成部１８は、アナログ信号で送られてきた各種映像を合成してアナログ信号からなる合成映像を作成する構成であってもよいし、デジタルデータとして送られてきた各種映像データを合成してデジタルデータからなる合成映像を作成する構成であってもよい。前者の場合、合成部１８はアナログ回路で実現され、後者の場合、ＣＰＵ１１２、ＲＡＭ１１１などのハードウェアと、これらを制御するプログラム（ソフトウェア）との協同作用によって実現される。あるいは、合成部１８がアナログ／デジタル変換を行ってもよい。
【００８６】
また、番組出力装置１は、映像切換部（映像切換手段）２０及び表示出力部２１を備えている。映像切換部２０には、放送中番組映像作成部１２から送られる放送中の番組映像と、録画済番組映像取得部１９から送られる録画済番組映像と、合成部１８から送られる合成映像とを切り換えて択一的に表示するためのものである。これにより、放送中の番組映像、録画済番組映像、番組情報が表示された合成映像の何れかが表示出力部２０に送られる。なお、映像切換部は、アナログ信号として送られてきた各映像信号を切り換える構成であってもよいし、デジタルデータとして送られてきた各種映像データを、ソフトウェア的に切り換える構成であってもよい。前者の場合、映像切換部２０は、アナログ回路によって実現され、後者の場合、ＣＰＵ１１２、ＲＡＭ１１１などのハードウェアと、これらを制御するプログラム（ソフトウェア）との協同作用によって実現される。
【００８７】
表示出力部２１は、表示部７０（表示出力装置１３０）に対して、映像切換部２０から送られてきた映像を出力するためのものである。ここで、映像切換部２０から送られてくる映像がデジタルデータである場合には、映像切換部２０がアナログ映像信号に変換して表示部７０に出力する。また、表示部７０がデジタル映像入力端子を備えている場合は、映像データをデジタルデータのまま表示部７０に出力してもよい。このように、表示出力部２１は、映像切換部２０から送られてきた映像を、表示部７０が利用できる信号に変換して出力する。
【００８８】
次に、本実施形態の番組出力装置１の動作を説明する。通常、番組出力装置１は、放送信号中に含まれる番組情報を記憶部３０の番組情報データベース３１に蓄積する。すなわち、番組情報取得部１３が、放送電波に含まれるＳＩ情報の中のＥＩＴを解析することによって番組情報データを作成し、図３に示す番組情報データベース３１に逐次蓄積していく。この際、各番組情報データには、それぞれの番組情報データを取り出し可能なようにインデックス番号（ＩＤ）が付される。
【００８９】
なお、番組情報取得部１３は、既に放送が済んだ番組の番組情報を番組情報データベース３１内にそのまま残しておいてもよいが、時計部を参照して放送が済んだものを順次削除してもよい。後者の場合、番組映像録画再生装置５０によって録画された番組の番組情報については、残しておくことが好ましい。また、新たに取得する分については、例えば、現時点から１週間分としてもよい。
【００９０】
本実施形態では、すでに放送が済んだ番組の番組情報のうち、番組映像録画再生装置５０によって録画された番組以外の番組情報については、番組情報データベース３１から削除するものとする。このような更新作業を定期的に繰り返すことにより、番組情報データベース３１には、録画済みの番組の番組情報と、現在放送中の番組の番組情報と、これから放送される番組の番組情報とが蓄積される。また、録画済みの番組の番組情報には、番組映像録画装置５０の録画済番組映像データベース５１の中から対応する録画済番組映像を取得できるように、録画済番組映像データベースの中の録画済番組映像を特定できる情報が付されている。
【００９１】
ところで、番組出力装置１は、通常、現在放送中の番組の番組映像か、あるいは、過去に録画した録画済番組映像を出力している。すなわち、映像切換部２０は、放送中番組映像１２から送られてくる放送中の番組映像か、録画済番組映像取得部１９から送られてくる録画済の番組映像を表示出力部２１を介して表示部７０に出力している。ここで、ユーザがリモコン３００の関連番組ボタン３０５を押すことによって、映像切換部２０が、合成部１８からの映像を表示出力部２１に出力するようになり、その結果、関連番組に関する映像が表示される。
【００９２】
図５は、番組情報を表示する際の番組出力装置１の処理工程を示す図である。まず、ユーザが番組映像の視聴中にリモコン３００の関連番組ボタン３０５を押すと（Ｓ１２０１）、視聴中番組情報取得部１４が番組情報データベース３１から現在視聴中の番組の番組情報を取得する（Ｓ１２０２）。具体的には、視聴中の番組が放送中の番組映像を受信したものである場合、視聴中番組情報取得部１４が、図示しない時計部から送信される現在の日付及び時刻と、チューナー１０１から送信される現在のチャンネル情報とを基に、番組情報データベース３１を参照することによって、現在視聴中の番組情報を取得する。また、視聴中の番組が録画済番組映像である場合、番組情報データベース３１内で録画済番組の番組情報には録画済番組情報を特定できる情報が付されているため、その特定情報に基づいて録画済番組映像の番組情報を番組情報データベース３１から取得する。このようにして取得した視聴中の番組の番組情報は、関連番組情報抽出部１５に送られる。
【００９３】
次に、関連番組情報抽出部１５は、受け取った視聴中の番組の番組情報に基づいて、番組情報データベース３１から、視聴中の番組と関連する番組（関連番組）の番組情報を抽出する（Ｓ１２０３）。関連番組の番組情報の抽出方法については、後述する。そして、抽出された関連番組の番組情報は、放送状態分類部１６に送られる。
【００９４】
放送状態分類部１６は、受け取った関連番組の各番組情報について放送日時情報を参照し、その番組情報に対応する関連番組が、既に放送済みのものであるか、現在放送中であるか、これから放送予定であるかに応じて、放送済みグループ、放送中グループ、放送予定グループの何れかに分類する（Ｓ１２０４）。具体的には、放送済みの関連番組については、その番組ＩＤを記憶部３０の放送済み番組ＩＤ格納領域に格納し、放送中の関連番組については、その番組ＩＤを放送中番組ＩＤ格納領域に格納し、放送予定の関連番組については、その番組ＩＤを放送予定番組ＩＤ３４に格納する。
【００９５】
次に、関連番組映像作成部１７は、記憶部３０を参照して、関連番組の番組情報が表示された関連番組情報映像を作成する（Ｓ１２０５）。具体的には、放送済み番組ＩＤ格納領域３２、放送中番組ＩＤ格納領域３３、放送予定番組ＩＤ格納領域３４を参照することによって関連番組を特定し、番組情報データベース３１から関連番組の番組情報を取得し、この関連番組の番組情報が表示された関連番組情報映像を、関連番組ごとに作成する。
【００９６】
なお、関連番組情報映像に含まれる番組情報としては、番組情報データベース３１に格納される各番組情報に含まれる全ての情報であってもよいが、その一部であってもよい。また、放送済み、放送中、放送予定の全ての関連番組について関連番組情報映像を作成してもよいが、本実施形態では、より好ましい実施形態として、放送予定の関連番組についてのみ、関連番組情報映像を作成することとする。
【００９７】
すなわち、本実施形態では、関連番組情報映像作成部１７が、放送予定番組ＩＤ格納領域３４に番組ＩＤが格納された関連番組について、番組情報データベース３１から番組情報を取得し、取得した番組情報が表示された関連番組情報映像を作成する。この関連番組情報映像は、これから放送される関連番組の番組内容をユーザに提示するために用いられる。作成された関連番組情報映像は、合成部１８に送られる。
【００９８】
合成部１８は、まず、関連番組の番組内容をユーザに提示するための関連番組提示映像を取得する（Ｓ１２０５）。上述したように、放送予定の関連番組の関連番組提示映像としては、ステップＳ１２０６において作成された関連番組情報映像を用いる。そして、放送済み（本実施形態では録画済）の関連番組の関連番組提示映像としては、番組映像録画装置５０の録画済番組映像データベース５１に蓄積された録画済番組映像を用いる。そして、現在放送中の関連番組の関連番組提示映像としては、放送中の関連番組の番組映像を用いる。以下、その方法について具体的に説明する。
【００９９】
合成部１８は、放送済み番組ＩＤ格納領域３２に格納された番組ＩＤを基に、番組情報データベース３１を参照することによって、録画済番組映像が、番組映像録画装置５０の録画済番組映像データベース５１のどこに存在するかを特定する情報を取得する。そして、録画済番組映像取得部１９に、その特定情報を利用して該当する関連番組の録画済番組映像を取得させる。これにより、合成部１８は録画済の関連番組の番組映像を取得する。
【０１００】
また、合成部１８は、放送済み番組ＩＤ格納領域３３に格納された番組ＩＤを基に、番組情報データベース３１を参照することによって、現在放送中の関連番組がどのチャンネルで放送されているかを特定する。そして、放送中番組映像作成部１２にそのチャンネルで放送されている関連番組の番組映像を取得させる。これにより、合成部１８は現在放送中の関連番組の番組映像を取得する。
【０１０１】
以上のようにして、放送済みの関連番組の録画済番組映像と、放送中の関連番組の番組映像と、放送予定の関連番組の番組情報映像とを取得した合成部１８は、これらの関連番組の番組内容を提示するための映像と、現在視聴中の番組映像とを合成した合成映像を作成する。なお、合成映像の詳細については後述する。作成された合成映像は、表示出力部２１を介して表示部７０に送られる。これにより、ユーザは、視聴中の番組映像と、関連番組の番組内容を類推させる映像とを同時に閲覧することができる。
【０１０２】
〔合成映像〕
次に、合成手段１８による映像の合成方法について詳細に説明する。以下、特に記載がない場合は、各処理を合成手段１８が行っているものとする。
【０１０３】
図６は、現在視聴中の番組映像を示す図である。ここでは、放送中の番組を視聴しているものとする。このとき、ユーザがリモコン３００の関連番組ボタン３０５を押すと、上述した処理が行われ、視聴中の番組映像と関連番組の番組内容を提示する映像とを合成した合成映像が表示される。
【０１０４】
図７は、合成映像を示す図である。図７に示すように、合成映像では、表示領域が３行×３列＝９個の部分表示領域に分割される。ここで、９個の部分表示領域のうち、ある一列は、録画済番組の番組映像を表示するために用いられる。また、別の一列は、現在放送中の番組映像を表示するために用いられる。そして、残りの一列は、放送予定の番組の番組情報を表示するために用いられる。
【０１０５】
このような合成映像において、放送中の番組映像を表示するための３つの部分表示領域のうち、中央の部分表示領域には、視聴中の番組映像が配置される。そして、その上下に隣接した部分表示領域（隣接部分表示領域）には、それぞれ現在放送中の関連番組の番組映像が表示される。なお、この隣接部分表示領域に、番組映像に加えて番組情報も表示されるようにしてもよい。
【０１０６】
また、放送済みの番組映像を表示するための３つの部分表示領域には、それぞれ関連番組の録画済番組映像が配置される。また、この３つの部分表示領域のそれぞれには、録画済の番組映像に加えて、番組情報も表示されるようにしてもよい。
【０１０７】
さらに、放送予定の番組を表示するための３つの部分表示領域には、それぞれ関連番組の番組情報映像が配置される。これらの番組情報映像のうち、すでに録画予約済みであるものについては表示しないように構成してもよいし、色を付けたり印を付けたりすることによって、録画予約の設定がされていることがわかるように表示の仕方を変えてもよい。
【０１０８】
このように、関連番組の録画済番組映像、放送中の番組映像、及び放送予定の番組情報映像が列ごとに配置されることにより、ユーザは、この合成映像を見て、どの関連番組が録画済のもので、どの関連番組が現在放送中のもので、どの関連番組がこれから放送されるものであるのかを容易に把握することができる。また、画面の中央には視聴中の番組映像も縮小して表示されているため、ユーザは、番組映像の視聴を妨げられることがない。
【０１０９】
ここで、視聴中の番組映像は、図７に示すように枠で囲まれることによって強調表示されている。これにより、ユーザは、視聴中の番組映像がどこに配置されているかを容易に把握することができる。また、図８に示すように、視聴中の番組映像が表示される部分表示領域を、他の部分表示領域よりも拡大することによって強調表示してもよい。この場合、視聴中の番組が表示される部分表示領域の拡大量は、他の部分表示領域に表示される映像の内容が把握できる程度に留めておくことが好ましい。また、部分表示領域の縁部をカラーにすることによって強調表示してもよい。
【０１１０】
なお、部分表示領域に表示する関連番組の録画済番組映像は、動画であってもよいし、例えば先頭の一コマを切り出したインデックス画像（映像）であってもよい。放送中の関連番組の番組映像についても同様に、放送中の番組映像をそのまま表示してもよいし、ある瞬間について取得した一コマの静止映像であってもよい。
【０１１１】
また、本実施形態において、合成映像は、ユーザに対して関連番組についての情報を与えるために用いられるだけでなく、この合成映像を利用して、録画済番組映像の再生、チャンネルの切り換え（選局）、録画予約などの各種操作を行うことができる。以下、それらの操作について説明する。
【０１１２】
〔合成映像に対する操作〕
図７の状態の合成映像に対して、ユーザはリモコン３００（部分表示領域選択手段）を用いて各部分表示領域を選択することによって様々な命令を行うことができる。図７の状態で、ユーザがリモコン３００の決定ボタン３０４を押すと、映像切換部２０が、出力する映像を合成映像から放送中番組映像作成部１２によって作成される放送中の番組映像に切り換える。これにより、画面に表示される映像が、図６に示す視聴中の番組の番組映像に戻る。また、キャンセルボタン３０６を押したときも同様の処理が行われる。
【０１１３】
また、図７の状態で、リモコン３００の上下左右ボタン３０３を押すことによって、ユーザは９つの部分表示領域を自由に選択できる。例えば、ユーザが上ボタン３０３Ａを押すと、図７の太枠で囲まれている視聴中の番組映像が表示されている部分表示領域の上の隣接部分表示領域が選択される。これと同時に、受信チャンネルが、選択された隣接部分表示領域に対応する番組の放送されているチャンネルに変更される。そして、表示されている画面が、合成映像から番組映像の全画面表示に変更される。
【０１１４】
このとき、番組出力装置１の内部では、以下の処理が行われる。まず、ユーザが上ボタン３０３Ａを押すと、ＣＰＵ１１２が、選択された隣接部分表示領域に表示されている番組映像の番組情報を番組情報データベース３１から取得する。そして、ＣＰＵ１１２は、番組情報の中からチャンネル情報を取得し、チューナー（チャンネル切換手段）１０１に対して、番組情報から取得したチャンネルになるようにチャンネルの切り換えを指示する。これにより、選択された隣接部分表示領域に対応する番組の放送されているチャンネルに切り換わる。そして、映像切換部２０が、出力する映像を合成映像から放送中番組映像作成部１２から送られてくる映像に切り換える。
【０１１５】
また、図７の状態でユーザが下ボタン３０３Ｄを押した場合も、上記と同様の処理が行われ、視聴中の番組映像が表示されている部分表示領域の下の隣接部分表示領域に対応する番組映像が映し出される。
【０１１６】
一方、図７の状態でユーザが左ボタン３０３Ｃを押すと、図９に示すように、視聴中の番組映像が表示されている部分表示領域の左の部分表示領域が選択可能な状態になる。この選択可能な部分表示領域は、録画済の関連番組に関する部分表示領域であり、領域内の一部分に、録画済の番組映像の再生を促すための「再生」ボタンが表示される。そして、ユーザがさらに決定ボタン３０４を押すと、上記の部分表示領域が選択され、これに応答して、図１０に示すように、部分表示領域に表示されていた録画済番組映像の再生が開始される。
【０１１７】
このとき、番組出力装置１の内部では、以下の処理が行われる。ユーザが決定ボタン３０４を押すと、ＣＰＵ１１２が、選択された部分表示領域に表示されている録画済番組の番組情報を番組情報データベース３１から取得する。そして、ＣＰＵ１１２は、番組情報の中から、番組映像録画装置５０の録画済番組映像データベース５１における録画済番組映像の位置情報を取得し、録画済番組映像取得部１９に対して、該当する録画済番組映像を録画済番組映像データベース５１から取得するように指示する。これにより、選択された部分表示領域に対応する録画済番組映像が番組出力装置１に送られてくる。そして、映像切換部２０が、出力する映像を合成映像から録画済番組映像取得部１９から送られてくる映像に切り換える。
【０１１８】
また、図１０の状態でユーザがキャンセルボタン３０６を押すと、図７の状態に戻る。また、図９の状態でユーザが上ボタン３０３Ａ又は下ボタン３０３Ｄを押すと、図９の太枠で囲まれて部分表示領域の上又は下の部分表示領域が選択可能な状態になり、選択可能になった部分表示領域に対応する録画済番組映像に映像を切り換えてザッピングすることができる。
【０１１９】
また、図９の状態でユーザが関連番組ボタン３０５を押すと、図９の太枠で囲まれている部分表示領域の録画済番組映像に関連する番組を、上述した方法と同様の方法で合成映像として表示する。
【０１２０】
一方、図７の状態でユーザが右ボタン３０３Ｂを押すと、図１１に示すように、視聴中の番組映像が表示されている部分表示領域の右の部分表示領域が選択可能な状態になる。この選択可能な部分表示領域は、放送予定の関連番組に関する部分表示領域であり、領域内の一部分に、放送予定の番組映像の録画予約を促すための「録画予約」ボタンが表示される。そして、ユーザがさらに決定ボタン３０４を押すと、上記の部分表示領域が選択され、これに応答して、部分表示領域に表示されていた番組情報に対応する番組の録画予約が行われる。
【０１２１】
このとき、番組出力装置１の内部では、以下の処理が行われる。ユーザが決定ボタン３０４を押すと、ＣＰＵ１１２が、選択された部分表示領域に表示されている関連番組に対応する番組情報を番組情報データベース３１から取得する。そして、ＣＰＵ１１２は、取得した番組情報の中から、選択した関連番組の放送チャンネル及び放送日時の情報を取得し、外部装置通信部１１５を介して、選択した関連番組の録画予約を番組映像録画装置５０に対して実行する。なお、このときＣＰＵ１１２は録画予約指示手段として機能する。
【０１２２】
また、図１１の状態でユーザが上ボタン３０３Ａ又は下ボタン３０３Ｄを押すことによって、同様に、図１１の太枠で囲まれている部分表示領域の上又は下の部分表示領域に表示された関連番組の録画予約を行うことができるようになる。
【０１２３】
また、図１１の状態でユーザが関連番組ボタン３０５を押すと、図１１の太枠で囲まれている部分表示領域に表示された番組に関連する番組を、上述した方法と同様の方法で合成映像として表示する。
【０１２４】
なお、上記の説明は、ユーザが放送中の番組映像を視聴していた際に関連番組ボタン３０５を押した場合のものであったが、ユーザが録画済番組映像を視聴している際にも、関連番組ボタン３０５を押して、関連番組の番組内容を提示する映像を合成映像として表示させることができる。例えば、ユーザが図７に示す録画済番組映像を視聴している際に、関連番組ボタン３０５を押すと、図１２に示すような合成映像が表示される。この場合、図１２の太枠で囲まれている部分表示領域には、視聴中の録画済番組映像が表示され、放送中の番組映像が表示される３つの部分表示領域には、それぞれ、放送中の関連番組の番組映像が表示されるところが、上記の場合異なっている。
【０１２５】
そして、図１２の状態でユーザが上ボタン３０３Ａ又は下ボタン３０３Ｄを押すと、図１２の太枠で囲まれている部分表示領域の上又は下の部分表示領域に表示されている録画済番組映像の再生が開始される。また、右ボタン３０３Ｂを押すと、放送中の関連番組を選択できるようになり、決定ボタン３０４を押すことによって、放送中の関連番組の番組映像が全画面で表示される。さらに、もう一度右ボタン３０３Ｂを押すと、放送予定の関連番組の録画予約が行えるようになる。なお、選択された番組映像の呼び出し、及び選択された放送予定の番組の録画予約は、上記と同様の方法で実行される。
【０１２６】
なお、上記の合成映像では、左の列から順に、それぞれ録画済の関連番組、放送中の関連番組、放送予定の関連番組を表示するための表示領域としたが、各列と放送状態との対応は、これに限定されない。例えば、左の列から順に、それぞれ放送予定の関連番組、放送中の関連番組、録画済の関連番組を表示するための表示領域としてもよい。
【０１２７】
〔関連番組の抽出〕
次に、関連番組の抽出方法について説明する。関連番組の抽出方法については、従来技術と同様に、番組のタイトル情報が一致するか否かで抽出する方法や、ジャンル情報、出演者情報、あるいは番組内容から抽出した人名情報が一致するか否かによる方法などを用いてもよい。本実施形態では、関連番組とは、放送される番組に対応付けられた番組情報に含まれるジャンル又はサブジャンルの情報の一部又は全部が、視聴中の番組と同一であるものをいう。また、関連番組を抽出するとともに抽出した関連番組に対して優先順位をつける方法について説明する。なお、関連番組に対して付けられるこの優先順位は、視聴中の番組と番組内容の関連度が高いほど高いものとなる。つまり、関連番組に対して、視聴中の番組との関連度を設定するともいってもよい。なお、関連番組に対する関連度の設定は、関連番組抽出部（関連番組抽出手段）１５に含まれる図示しない関連度設定部（関連度設定手段）が行うものとする。
【０１２８】
図１３及び図１４は、本実施形態における関連番組の抽出手順を示すフロー図である。また、図１５は、放送される各番組を番組内容に応じて分類するためのＥＰＧジャンルを示した図である。仮に、視聴中の番組のジャンルが「スポーツ」で、サブジャンルが「サッカー海外」で、タイトルが「スペインリーグ第３節  バルセロナ  ＶＳ  ☆☆」であるとする。ここで、ユーザが関連番組ボタン３０５を押すと、上述したように、視聴中番組情報取得部１４が、番組情報データベース３１から視聴中の番組の番組情報を取得する。そして、視聴中の番組の番組情報が関連番組情報抽出部１５に送られる。
【０１２９】
視聴中の番組の番組情報を受け取った関連番組情報抽出部１５は、関連番組の検索要求があると判断し（Ｓ１３０１）、受け取った番組情報の中から、ジャンル及びサブジャンルの情報を抽出する（Ｓ１３０２）。そして、抽出したジャンル及びサブジャンルの情報を用いて、番組情報データベース３１をサーチする。具体的には、番組情報データベース３１の中に、視聴中の番組とジャンル及びサブジャンルの一致する番組情報があるかどうかをサーチする（Ｓ１３０３）。
【０１３０】
ここで、視聴中の番組とジャンル及びサブジャンルが一致する番組情報が見つかった場合、その番組情報を関連番組の番組情報として抽出する（Ｓ１３０４）。本例の場合、図１６に示すように、ジャンルが「スポーツ」で、サブジャンルが「サッカー海外」に属する番組情報が番組情報データベース３１にある場合、この番組情報を抽出する。そして、関連度設定部が、この段階で抽出した番組情報に対して、関連度「１」を設定する（Ｓ１３０５）。なお、視聴中の番組に対する関連度は、１が最も高いことを示し、２，３となるにつれて低くなっていく。そして、次の段階に進む。一方、視聴中の番組とジャンル及びサブジャンルが一致する番組情報が見つからなかった場合にも、次の段階に進む。
【０１３１】
次の段階では、関連番組情報抽出部１５が、番組情報データベース３１の中に、視聴中の番組とジャンルが一致し、かつ、サブジャンルの一部に同じ単語を含む番組情報があるかどうかをサーチする（Ｓ１３０６）。本例の場合、図１７に示すように、ジャンルが「スポーツ」で、サブジャンルが「サッカー国内」、「サッカーＷ杯」、及び「五輪サッカー」に属する番組情報が番組情報データベース３１にある場合、この番組情報を抽出する。
【０１３２】
サブジャンルの一部に含まれる単語が一致するか否かを判定する方法について、詳細に説明すると以下の通りである。記憶部３０には、サブジャンルの一部に含まれる単語が一致するか否かを判定するために、図示しないジャンル辞書を格納しているものとする。このジャンル辞書には、それぞれのジャンルごとにキーワードが予め保存されている。例えば、「スポーツ」ジャンルには、「サッカー」及び「野球」などのキーワードが保存されており、「ニュース、報道」ジャンルには、「経済」及び「天気」などのキーワードが保存されている。ただし、「スポーツ」ジャンルには、「国内」や「海外」などのキーワードは含まれていない。
【０１３３】
関連番組情報抽出部１５は、このようなジャンル辞書を用いて、番組情報に含まれるサブジャンルの文字列を分割する。本例のように、視聴中の番組のサブジャンルが「サッカー海外」である場合、ジャンル辞書にキーワードが登録されている「サッカー」と、それ以外の単語「海外」とに分割する。そして、ジャンル「スポーツ」に含まれ、「サッカー」という文字列を含むサブジャンルとしては、「サッカー国内」、「サッカーＷ杯」、及び「サッカー五輪」があるので、これらをサブジャンルとする番組情報を抽出する。
【０１３４】
なお、関連番組情報抽出部１５は、さらに、ジャンル辞書に登録されていない単語「海外」を含む「ゴルフ海外」をサブジャンルとする番組情報を、関連番組の番組情報として抽出してもよい。ただし、この場合は、上記の「サッカー国内」、「サッカーＷ杯」、及び「サッカー五輪」をサブジャンルとする番組情報に比べて、低い関連度を設定するものとする。また、分割後の各単語を図示しない用語データベースに逐次登録してもよい。
【０１３５】
以上のようにしてサーチした結果、条件を満たす番組情報が見つかった場合には、関連番組情報抽出部１５がその番組情報を関連番組の番組情報として抽出する（Ｓ１３０７）。そして、関連度設定部が、抽出された関連番組の番組情報に対して、関連度として「２」を設定する（Ｓ１３０８）。そして、次の段階に進む。一方、サーチの結果、条件を満たす番組情報が見つからなかった場合にも、次に段階に進む。
【０１３６】
次の段階では、関連番組情報抽出部１５が、番組情報データベース３１の中に、視聴中の番組とジャンルが一致する番組情報があるかどうかをサーチする（Ｓ１３０９）。本例の場合、図１８に示すように、「スポーツ」をジャンルとする番組情報が番組情報データベース３１にある場合、この番組情報を抽出する。
【０１３７】
サーチした結果、条件を満たす番組情報が見つかった場合には、関連番組情報抽出部１５がその番組情報を関連番組の番組情報として抽出する（Ｓ１３１０）。そして、関連度設定部が、抽出された関連番組の番組情報に対して、関連度として「３」を設定する（Ｓ１３１１）。そして、次の段階に進む。一方、サーチの結果、条件を満たす番組情報が見つからなかった場合にも、次に段階に進む。
【０１３８】
次の段階では、関連番組情報抽出部１５が、番組情報データベース３１の中に、サブジャンルの一部に同じ単語を含む番組情報があるかどうかをサーチする（Ｓ１３１２）。例えば、視聴中の番組のジャンルが「ニュース、報道」で、サブジャンルが「スポーツ」であるとすると、図１９に示すように、ジャンルを問わずサブジャンルに「スポーツ」という単語を含む番組情報が番組情報データベース３１にある場合、この番組情報を抽出する。具体的には、ジャンルが「ドキュメンタリー、教養」でサブジャンルが「スポーツ」の番組情報や、ジャンルが「バラエティ」でサブジャンルが「スポーツ」の番組情報や、ジャンルが「趣味、実用」でサブジャンルが「スポーツレッスン」の番組情報が全て該当する。
【０１３９】
サーチした結果、条件を満たす番組情報が見つかった場合には、関連番組情報抽出部１５がその番組情報を関連番組の番組情報として抽出する（Ｓ１３１３）。そして、関連度設定部が、抽出された関連番組の番組情報に対して、関連度として「３」を設定する（Ｓ１３１４）。そして、関連番組の番組情報の抽出を終了する。また、サーチの結果、条件を満たす番組情報が見つからなかった場合にも、抽出を終了する。
【０１４０】
以上のようにして関連番組の抽出を行うが、関連度が同じ番組情報が複数抽出された場合は、番組タイトルや番組内容や出演者の情報を利用し、視聴中の番組の番組情報と一致する項目が多いものほど関連度を高くすることで順位付けを行う。例えば、視聴中の番組のジャンルが「スポーツ」、サブジャンルが「サッカー海外」、番組タイトルが「スペインリーグ第３節  バルセロナ  ＶＳ  ☆☆」であり、検索された番組情報１のジャンルが「スポーツ」、サブジャンルが「サッカー海外」、番組タイトルが「スペインリーグ第４節  バルセロナ  ＶＳ  ●●」で、検索された番組情報２のジャンルが「スポーツ」、サブジャンルが「サッカー海外」、タイトルが「セリエα第５節  ミラノ  ＶＳ  △△」であったとすると、視聴中の番組と検索された番組情報１及び番組情報２との間ではジャンル及びサブジャンルが一致するため、番組情報１と番組情報２の関連度はともに「１」である。しかし、番組タイトルが視聴中の番組の番組情報と番組情報１との間では、「スペインリーグ」「バルセロナ」で一致しているのに対し、視聴中の番組の番組情報と番組情報２との間では番組タイトルが一致していない。従って、番組情報１の方が番組情報２よりも高い関連度を設定される。
【０１４１】
以上のように、上記関連度設定手段は、上記の各条件を満たす番組情報が複数ある場合には、これらの番組情報に対して、当該番組情報のタイトルの文字列の一部又は全部が視聴中番組情報と一致するか否かに応じて、関連度に差をつけることが好ましい。
【０１４２】
また、番組情報に、番組の詳細内容を説明した文字列の情報が含まれている場合は、関連番組の番組情報の詳細内容の文字列の一部又は全部が上記視聴中番組情報と一致するか否かに応じて、関連度に差をつけてもよい。
【０１４３】
また、番組情報に、番組の出演者に関する情報が含まれている場合には、関連番組の番組情報の出演者の一部又は全部が上記視聴中番組情報と一致するか否かに応じて、関連度に差をつけてもよい。
【０１４４】
このようにして関連番組の番組情報に設定された関連度は、上述した合成映像の各部分領域の何れに配置するかを決定する際に用いられる。例えば、放送済みの関連番組に分類された関連番組の録画済番組映像を、図７の左の列に配置する際に、関連度の高い番組ほど中央に配置し、関連度が低くなるようにつれて、中央から離れた位置に配置することなどが挙げられる。すなわち、関連度の最も高い番組の録画済番組映像を中央の部分表示領域に配置し、それよりも関連度の低い番組の録画済番組映像を上又は下の部分表示領域に配置する。また、放送中の関連番組の番組映像を表示する際や、放送予定の関連番組の番組情報映像を表示する際にも、同様にして、関連度の高いものほど中央に近い位置で配置させてもよい。
【０１４５】
なお、上記の説明では、ステップＳ１３０１からステップＳ１３１３までの全工程を行う場合について説明したが、本発明はこれに限定されず、例えば、所定の個数の関連番組情報が抽出された時点で、関連番組情報の抽出処理を終了してもよい。この場合、所定の個数は、合成映像における部分表示領域の個数に応じて決定すればよい。
【０１４６】
また、検索された関連番組情報の個数が多い場合は、合成映像の画面をスクロールさせることによって、全ての関連番組の番組内容を提示する映像を表示させるようにしてもよい。
【０１４７】
〔補足〕
上記の実施形態では、合成映像を９つの部分表示領域に分割し、それぞれの列を放送済みグループ、放送中グループ、放送予定グループに設定した例について説明したが、本発明はこれに限定されない。
【０１４８】
例えば、図２０に示すように、合成映像を３行×３列の部分表示領域に分割し、それぞれの行を放送済みグループ、放送中グループ、放送予定グループに設定してもよい。ここで、各行とそれぞれのグループとの対応関係は特に限定されず、上の行から順に、それぞれ放送済みグループ、放送中グループ、放送予定グループに設定してもよいし、あるいは、放送予定グループ、放送中グループ、放送済みグループに設定してもよい。
【０１４９】
また、放送中グループを表示するための３つの部分表示領域のうち、中央の部分表示領域には、視聴中の番組映像を縮小して挿入し、残りの２つの部分表示領域には、放送中の関連番組の番組映像を縮小して挿入する。
【０１５０】
図２０の状態で左ボタン３０３Ｃまたは右ボタン３０３Ｂを押すと、それぞれの隣接部分表示領域に表示されている関連番組の選局を行う。また、図２０の状態でユーザが上ボタン３０３Ａを押すと、カーソルが上に移動し、録画済グループの中央の部分表示領域に表示されている関連番組が選択され図２１のようになる。つまり、図７の状態における左ボタン３０３Ｃの操作が、図２０の上ボタン３０３Ａの操作に対応する。ここで、決定ボタン３０４を押すと、図１０に示すように、選択された関連番組の録画済番組映像が最大化されて再生される。図１０の状態で左ボタン３０３Ｃ又は右ボタン３０３Ｂを押すと、録画済の関連番組を切り換えてザッピングすることができる。また、図２１や図１０の状態で関連番組ボタン３０５を押すと、選択されている番組に関連する関連番組についての合成映像を表示する。
【０１５１】
一方、図２０の状態でユーザが下ボタン３０３Ｄを押すと、カーソルが下に移動し、放送予定グループの中央の部分表示領域に表示されている関連番組が選択可能な状態になり、図２２に示すようになる。つまり、図７の状態における右ボタン３０３Ｂの操作が、図２０の状態における下ボタン３０３Ｄの操作に対応する。ここで、決定ボタン３０４を押すと、選択された関連番組を録画予約することができる。図２２の状態で左ボタン３０３Ｃ又は右ボタン３０３Ｂを押すと、未来の関連番組の番組情報を切り換えることができる。また、図２２の状態で関連番組ボタン３０５を押すと、選択されている番組に関連する関連番組についての合成映像が表示される。図２０の状態で戻るボタン３０６を押すと図６の番組映像に戻り、図１０の状態で戻るボタン３０６を押すと図２１の合成映像に戻る。
【０１５２】
なお、上記の例では関連番組の表示を９分割にしているが、放送済み（録画済み）グループ、放送中グループ、放送予定グループに分割して表示すればよく、もちろん３分割や６分割になっていてもよい。また、関連番組の数が表示画面数よりも多い場合、図９の状態で上下ボタン３０３Ａ・３０３Ｄを押したり、図２１の状態で左右ボタン３０３Ｃ・３０３Ｂを押したりすることによって、関連番組の録画済みの番組映像がスクロールして表示されるようにしてもよい。また、図１１の状態で上下ボタン３０３Ａ・３０３Ｄを押したり、図２２の状態で左右ボタン３０３Ｃ・３０３Ｂを押したりすることによって、放送予定グループの番組情報映像がスクロールして表示されるようにしてもよい。
【０１５３】
さらには、放送状態分類部１６が、関連番組を放送済み、放送中、放送予定の３つのグループに分類する代わりに、これらのうち、２つのグループに分類する構成であってもよい。この場合、合成部１８が、合成映像を２行、又は２列の各部分領域に分割してもよい。
【０１５４】
本発明を別の観点から見れば、以下の通りであるともいえる。まず、本発明の主たる目的を達成する上で、関連番組を放送済み、放送中、放送予定の３つの番組に分類する放送状態分類部１６は必ずしも必須の構成ではない。また、合成部１８は、合成映像において、互いに実質的に重ならない第１及び第２の部分表示領域を少なくとも設定すればよい。この場合、合成部１８は、第１の部分表示領域に視聴中の番組映像を縮小して挿入し、第２の部分表示領域に上記関連番組提示映像を挿入する。
【０１５５】
合成部１８がこのように部分表示領域を設定することによって、第１の部分表示領域には視聴中の番組映像が表示されているので、第２の部分表示領域に表示されている関連番組の番組情報映像を見る際に、それまで見ていた番組映像の視聴を妨げられることがない。
【０１５６】
また、放送状態分類部１６が、抽出された関連番組を放送状態に応じて分類する際に、放送済みグループとそれ以外のグループ、あるいは放送中グループとそれ以外のグループに分類してもよい。さらに、どのように分類するかを、ユーザに指定させる構成としてもよい。
【０１５７】
なお、視聴中の番組映像が放送中の番組映像であり、かつ、放送状態分類部１６が、放送状態に応じて関連番組を放送中グループとそれ以外のグループに分類する場合、視聴中の番組映像を挿入する第１の部分表示領域と隣接した隣接部分表示領域を設定し、その隣接部分表示領域中に、放送中の関連番組の番組映像を挿入してもよい。これにより、第１の部分表示領域及びその隣接部分表示領域には、何れも現在放送中の番組映像が表示され、また、第２の部分表示領域には、現在放送中でない関連番組の番組提示映像が表示される。このように、関連番組が、カテゴリごとに分類されて表示されることにより、ユーザは、関連番組の放送状態を容易に把握することができ、さらには、チャンネルの切り換え等において誤操作を抑制することができる。
【０１５８】
また、視聴中の番組映像が録画済みの番組映像であり、かつ、放送状態分類部１６が、放送状態に応じて関連番組を放送済み（録画済み）グループとそれ以外とに分類する場合、視聴中の番組映像を挿入する第１の部分表示領域と隣接した隣接部分表示領域を設定し、その隣接部分表示領域中に、放送済み（録画済み）の関連番組の番組映像を挿入してもよい。これにより、第１の部分表示領域及びその隣接部分表示領域には、何れも放送済み（録画済み）の番組映像が表示され、また、第２の部分表示領域には、放送中又は放送予定の関連番組の番組提示映像が表示される。このように、関連番組が、カテゴリごとに分類されて表示されることにより、ユーザは、関連番組の放送状態を容易に把握することができ、さらには、録画済み番組映像の呼び出しや、録画予約、チャンネル切り換え等において誤操作を起こすおそれが少なくなる。
【０１５９】
また、放送状態分類部１６が、関連番組を放送状態に応じて、放送済みグループ、放送中グループ、及び放送予定グループに分類する場合、合成部１８は、合成映像の一部分又は全部を３つに分割することによって、実質的に互いに重ならない第１から第３の部分表示領域を設定してもよい。そして、第１から第３の部分表示領域を、それぞれ放送済みグループ、放送中グループ、及び放送予定グループ用に設定する。ここで、視聴中の番組が放送中の番組映像である場合には、合成部１８は、放送中グループ用の部分表示領域に、視聴中の番組映像を縮小して挿入し、残りの部分表示領域には、関連番組の番組内容を提示する関連番組提示映像を挿入する。一方、視聴中の番組映像が録画済みの番組映像である場合には、合成部１８は、放送済みグループ用の部分表示領域に、視聴中の番組映像を縮小して挿入し、残りの部分表示領域には、関連番組提示映像を挿入する。
【０１６０】
以上のようにすることによって、第１から第３の部分表示領域には、それぞれ異なる放送状態の番組映像、又は番組情報映像が表示されることになる。よって、ユーザは、合成映像を見た際に、どの関連番組がどのような放送状態であるかを容易に把握することができる。その結果、再生、チャンネル切り換え、及び録画予約に関する誤操作を抑制することができる。
【０１６１】
さらに、放送状態分類部１６が、放送状態に応じて関連番組を放送済み（録画済み）グループ、放送中グループ、及び放送予定グループに分類する場合には、合成部１８は、合成映像を３行のマトリックス状（格子状）に配置された部分表示領域に分割してもよい。この場合、列数は特に限定されず、１列であってもよいが、２列が好ましく、３列がより好ましく、４列がさらに好ましく、５列以上であることが特に好ましい。あるいは、３行の代わりに、３列の格子状に配置された部分表示領域に分割してもよい。この場合、行数は特に限定されず、１行であってもよいが、２行が好ましく、３行がより好ましく、４行がさらに好ましく、５列以上であることが特に好ましい。
【０１６２】
そして、合成部１８は、このようなマトリックスの各行、又は各列を、第１の部分表示領域群、第２の部分表示領域群、第３の部分表示領域群に設定し、それぞれ放送済み（録画済み）グループ、放送中グループ、放送予定グループに分類された関連番組の番組提示映像を挿入する。また、視聴中の番組映像が放送中の番組映像である場合には、合成部１８は、放送中グループ用の部分表示領域群に含まれる１つの部分表示領域に、視聴中の番組映像を縮小して挿入する。また、視聴中の番組映像が録画済みの番組映像である場合には、合成部１８は、放送済みグループ用の部分表示領域群に含まれる１つの部分表示領域に、視聴中の番組映像を縮小して挿入する。
【０１６３】
なお、合成映像を３行又は３列のマトリックス状に配置された部分表示領域に分割する場合、各部分表示領域群に含まれる部分表示領域の数は、各グループ間で同一である必要はない。つまり、同一の行、又は同一の列に属する部分表示領域に表示される各関連番組の放送状態が同一であればよい。
【０１６４】
このようにすることによって、合成映像における各行、又は各列には、同一の放送状態に分類された関連番組が配置されることになり、ユーザは、合成映像を見た際に、関連番組の放送状態を容易に把握することができる。その結果、再生、チャンネル切り換え、及び録画予約に関する誤操作を抑制することができる。
【０１６５】
なお、番組出力装置１の各ブロック、特に関連番組情報抽出部１５、放送状態分類部１６、及び関連番組情報映像作成部１７は、ハードウェアロジックによって構成してもよいし、次のようにＣＰＵを用いてソフトウェアによって実現してもよい。
【０１６６】
すなわち、番組出力装置１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである番組出力装置１の制御プログラムのプログラムコード（実行形式プログラム、中間コードプログラム、ソースプログラム）をコンピュータで読み取り可能に記録した記録媒体を、上記番組出力装置１に供給し、そのコンピュータ（またはＣＰＵやＭＰＵ）が記録媒体に記録されているプログラムコードを読み出し実行することによっても、達成可能である。
【０１６７】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１６８】
また、番組出力装置１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１６９】
最後に、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１７０】
本発明の番組映像作成装置は、電子番組情報が利用できるＴＶ、ＴＶ機能付き携帯電話、ＴＶ機能付き携帯情報端末、ＴＶ機能付きパソコン、携帯ＴＶ及び／又はビデオ、ＤＶＤレコーダー、ＨＤＤレコーダー、Ｂｌｕ−ｒａｙ  Ｄｉｓｃレコーダーなどの録画装置に好適に利用できる。
【図面の簡単な説明】
【０１７１】
【図１】本発明の一実施形態を示すものであり、番組出力装置の機能構成を示す機能ブロック図である。
【図２】本発明の一実施形態を示すものであり、番組出力装置のハードウェア構成を示すブロック図である。
【図３】本発明の一実施形態を示すものであり、番組情報データベースに格納されている番組情報を示す図である。
【図４】番組出力装置を操作するためのリモコンの構造を示す平面図である。
【図５】本発明の一実施形態を示すものであり、合成部が合成映像を作成する工程を示すフロー図である。
【図６】放送中の番組映像を表示している様子を示す図である。
【図７】本発明の一実施形態を示すものであり、合成映像の一例を示す図である。
【図８】本発明の他の実施形態を示すものであり、合成映像の一例を示す図である。
【図９】本発明の一実施形態を示すものであり、合成映像の一例を示す図である。
【図１０】録画済みの番組映像を表示している様子を示す図である。
【図１１】本発明の一実施形態を示すものであり、合成映像の一例を示す図である。
【図１２】本発明の一実施形態を示すものであり、合成映像の一例を示す図である。
【図１３】本発明の一実施形態を示すものであり、関連番組抽出手段が関連番組を抽出する工程を示す図である。
【図１４】本発明の一実施形態を示すものであり、関連番組抽出手段が関連番組を抽出する工程を示す図である。
【図１５】ＥＰＧジャンルを示す図である。
【図１６】ＥＰＧジャンルを示す図である。
【図１７】ＥＰＧジャンルを示す図である。
【図１８】ＥＰＧジャンルを示す図である。
【図１９】ＥＰＧジャンルを示す図である。
【図２０】本発明の他の実施形態を示すものであり、合成映像の一例を示す図である。
【図２１】本発明の他の実施形態を示すものであり、合成映像の一例を示す図である。
【図２２】本発明の他の実施形態を示すものであり、合成映像の一例を示す図である。
【図２３】電子番組表の一例を示す図である。
【符号の説明】
【０１７２】
１      番組出力装置（番組映像作成装置）
１２    放送中番組映像作成部（放送中番組映像取得部）
１３    番組情報取得部
１４    視聴中番組情報取得部
１５    関連番組情報抽出部（関連番組情報抽出手段）
１６    放送状態分類部（関連番組分類手段）
１７    関連番組情報映像作成部（関連番組情報映像作成手段）
１８    合成部（合成手段）
１９    録画済番組映像取得部
２０    映像切換部（映像切換手段）
３１    番組情報データベース（番組情報群）
５０    番組映像録画装置（録画再生装置、録画装置）
７０    表示部（表示装置）
３００  リモコン（部分表示領域選択手段）
【図１】
2006352378.tif 000003
【図２】
2006352378.tif 000004
【図３】
2006352378.tif 000005
【図４】
2006352378.tif 000006
【図５】
2006352378.tif 000007
【図６】
2006352378.tif 000008
【図７】
2006352378.tif 000009
【図８】
2006352378.tif 000010
【図９】
2006352378.tif 000011
【図１０】
2006352378.tif 000012
【図１１】
2006352378.tif 000013
【図１２】
2006352378.tif 000014
【図１３】
2006352378.tif 000015
【図１４】
2006352378.tif 000016
【図１５】
2006352378.tif 000017
【図１６】
2006352378.tif 000018
【図１７】
2006352378.tif 000019
【図１８】
2006352378.tif 000020
【図１９】
2006352378.tif 000021
【図２０】
2006352378.tif 000022
【図２１】
2006352378.tif 000023
【図２２】
2006352378.tif 000024
【図２３】
2006352378.tif 000025